(57)【要約】  画像データ伝送システムは、通信網に収容される第１端末装置（１１０）及び第２端末装置（２１０）を含み、（I）第１端末装置（１１０）は、画像データに対して、著作権者情報を含む管理情報を付加する付加処理と著作権者に関するウオータマークを埋め込む埋込処理とを含む第１処理を施すことで、通信用データを生成する第１処理手段（１１１）と、通信用データを送信する第１通信手段（１１２）とを備え、（II）第２端末装置（２１０）は、通信用データを受信する第２通信手段（２１２）と、通信用データ又は通信用データに含まれる管理情報が付加され且つウオータマークが埋め込まれた画像データを、記録媒体に記録する記録手段（２１５）とを備える。【特許請求の範囲】
【請求項１】
通信網に収容される第１端末装置及び第２端末装置を含む画像データ伝送システムであって、
（I）  前記第１端末装置は、
送信すべき画像データに対して、該画像データを管理するための該画像データの著作者に関する著作権者情報を含む管理情報を付加する付加処理と該画像データ中に前記著作権者に関するウオータマークを埋め込む埋込処理とを含む第１処理を施すことで、通信用データを生成する第１処理手段と、
該生成された通信用データを、前記通信網を介して送信する第１通信手段と
を備え、
（II）  前記第２端末装置は、
前記通信網を介して前記送信された通信用データを受信する第２通信手段と、
該受信された通信用データ又は該受信された通信用データに含まれる前記管理情報が付加され且つ前記ウオータマークが埋め込まれた画像データを、記録媒体に記録する記録手段と
を備える
ことを特徴とする画像データ伝送システム。
【請求項２】
通信網に収容される第１端末装置及び第２端末装置を含む画像データ伝送システムであって、
（I）  前記第１端末装置は、
送信すべき画像データに対して、該画像データを管理するための管理情報を付加する付加処理と該画像データ中に前記画像データの著作権者に関すると共に該画像データが第何世代目のコピーであるかを示す情報を有する世代入りウオータマークを埋め込む埋込処理とを含む第１処理を施すことで、通信用データを生成する第１処理手段と、
該生成された通信用データを、前記通信網を介して送信する第１通信手段と
を備え、
（II）  前記第２端末装置は、
前記通信網を介して前記送信された通信用データを受信する第２通信手段と、
該受信された通信用データに含まれる前記世代入りウオータマークを更新する第２処理手段と、
該第２処理手段により更新された世代入りウオータマークが埋め込まれ且つ前記管理情報が付加された画像データを記録媒体に記録する記録手段と
を備える
ことを特徴とする画像データ伝送システム。
【請求項３】
前記通信網に、管理センターが更に収容されており、
前記管理センターは、(a)前記第１通信手段から送信された通信用データを、前記通信網を介して受信する第３通信手段と、(b)該受信された通信用データに含まれる前記世代入りウオータマークを更新する第３処理手段とを備え、
前記第３通信手段は、前記第３処理手段により更新された世代入りウオータマークが埋め込まれ且つ前記管理情報が付加された画像データを、新たに前記通信用データとして送信し、
前記第２通信手段は、前記通信網を介して前記管理センターを中継する形式で、前記第３通信手段から送信された前記通信用データを受信することを特徴とする請求の範囲第２項に記載の画像データ伝送システム。
【請求項４】
通信網に収容される第１端末装置及び第２端末装置を含む画像データ伝送システムであって、
（I）  前記第１端末装置は、
送信すべき画像データに対して、該画像データを管理するための該画像データに対して施すべき加工処理を指示する加工指示情報を含む管理情報を付加する付加処理を含む第１処理を施すことで、通信用データを生成する第１処理手段と、
該生成された通信用データを、前記通信網を介して送信する第１通信手段と
を備え、
（II）  前記第２端末装置は、
前記通信網を介して前記送信された通信用データを受信する第２通信手段と、
該受信された通信用データ中の前記画像データに対して、前記加工指示情報により示される加工処理を施す第２処理手段と、
前記加工処理が施された画像データを、前記管理情報が付加された形で、記録媒体に記録する記録手段と
を備える
ことを特徴とする画像データ伝送システム。
【請求項５】
通信網に収容される第１端末装置、第２端末装置及び管理センターを含む画像データ伝送システムであって、
（I）  前記第１端末装置は、
送信すべき画像データに対して、該画像データを管理するための該画像データに対して施すべき加工処理を指示する加工指示情報を含む管理情報を付加する付加処理を含む第１処理を施すことで、通信用データを生成する第１処理手段と、
該生成された通信用データを、前記通信網を介して送信する第１通信手段と
を備え、
（II）  前記第２端末装置は、
前記通信網を介して前記送信された通信用データを受信する第２通信手段と、
該受信された通信用データを記録媒体に記録する記録手段と
を備え、
（III）  前記管理センターは、
前記第１通信手段から送信された通信用データを、前記通信網を介して受信する第３通信手段と、
該受信された通信用データ中の前記画像データに対して、前記加工指示情報により示される加工処理を施す第３処理手段と
を備え、
前記第３通信手段は、前記加工処理が施され且つ前記管理情報が付加された画像データを、新たに前記通信用データとして送信し、
前記第２通信手段は、前記通信網を介して前記管理センターを中継する形式で、前記第３通信手段から送信された前記通信用データを受信する
ことを特徴とする画像データ伝送システム。
【請求項６】
通信網に第２端末装置と共に収容された第１端末装置であって、
送信すべき画像データに対して、該画像データを管理するための該画像データの著作者に関する著作権者情報を含む管理情報を付加する付加処理と、該画像データ中に前記著作権者に関するウオータマークを埋め込む埋込処理とを含む第１処理を施すことで、通信用データを生成する第１処理手段と、
該生成された通信用データを、前記通信網を介して前記第２端末装置に対して送信する第１通信手段と
を備えることを特徴とする第１端末装置。
【請求項７】
通信網に第２端末装置と共に収容された第１端末装置であって、
送信すべき画像データに対して、該画像データを管理するための管理情報を付加する付加処理と、前記画像データの著作権者に関すると共に該画像データが第何世代目のコピーであるかを示す情報を有する世代入りウオータマークを該画像データ中に埋め込む埋込処理とを含む第１処理を施すことで、通信用データを生成する第１処理手段と、
該生成された通信用データを、前記通信網を介して前記第２端末装置に対して送信する第１通信手段と
を備えることを特徴とする第１端末装置。
【請求項８】
通信網に第２端末装置と共に収容された第１端末装置であって、
送信すべき画像データに対して、該画像データに施すべき加工処理を指示する加工指示情報を含む管理情報を付加する付加処理を含む第１処理を施すことで、通信用データを生成する第１処理手段と、
該生成された通信用データを、前記通信網を介して前記第２端末装置に送信する第１通信手段と
を備えることを特徴とする第１端末装置。
【請求項９】
通信網に第１端末装置と共に収容された第２端末装置であって、
前記第１端末装置は、送信すべき画像データに対して、該画像データを管理するための管理情報を付加する付加処理と、前記画像データの著作権者に関すると共に該画像データが第何世代目のコピーであるかを示す情報を有する世代入りウオータマークを該画像データ中に埋め込む埋込処理とを含む第１処理を施すことで、通信用データを生成して送信し、
前記第２端末装置は、
前記通信網を介して前記送信された通信用データを受信する第２通信手段と、
該受信された通信用データに含まれる前記世代入りウオータマークを更新する第２処理手段と、
該第２処理手段により更新された世代入りウオータマークが埋め込まれ且つ前記管理情報が付加された画像データを記録媒体に記録する記録手段と
を備えることを特徴とする第２端末装置。
【請求項１０】
通信網に第１端末装置と共に収容された第２端末装置であって、
前記第１端末装置は、送信すべき画像データに対して、該画像データに対して施すべき加工処理を指示する加工指示情報を含む管理情報を付加する付加処理を含む第１処理を施すことで、通信用データを生成して送信し、
前記第２端末装置は、
前記通信網を介して前記送信された通信用データを受信する第２通信手段と、
該受信された通信用データ中の前記画像データに対して、前記加工指示情報により示される加工処理を施す第２処理手段と、
前記加工処理が施された画像データを、前記管理情報が付加された形で記録媒体に記録する記録手段と
を備えることを特徴とする第２端末装置。
【請求項１１】
通信網に第１端末装置及び第２端末装置と共に収容された管理装置であって、
前記第１端末装置は、送信すべき画像データに対して、該画像データに対して施すべき加工処理を指示する加工指示情報を含む管理情報を付加する付加処理を含む第１処理を施すことで、通信用データを生成して送信し、
前記管理装置は、
前記第１端末装置から前記送信された通信用データを、前記通信網を介して受信する第３通信手段と、
該受信された通信用データ中の前記画像データに対して、前記加工指示情報により示される加工処理を施す第３処理手段と
を備え、
前記第３通信手段は、前記加工処理が施され且つ前記管理情報が付加された画像データを、新たに通信用データとして前記第２端末装置に対して送信する
ことを特徴とする管理装置。
【請求項１２】
通信網に収容される第１端末装置及び第２端末装置を含む画像データ伝送システムにおいて実行される画像データ伝送方法であって、
（I）  前記第１端末装置では、
送信すべき画像データに対して、該画像データを管理するための該画像データの著作者に関する著作権者情報を含む管理情報を付加する付加処理と該画像データ中に前記著作権者に関するウオータマークを埋め込む埋込処理とを含む第１処理を施すことで、通信用データを生成する第１処理工程と、
該生成された通信用データを、前記通信網を介して送信する第１通信工程と
が実行され、
（II）  前記第２端末装置では、
前記通信網を介して前記送信された通信用データを受信する第２通信工程と、
該受信された通信用データ又は該受信された通信用データに含まれる前記管理情報が付加され且つ前記ウオータマークが埋め込まれた画像データを、記録媒体に記録する記録工程と
が実行される
ことを特徴とする画像データ伝送方法。
【請求項１３】
通信網に収容される第１端末装置及び第２端末装置を含む画像データ伝送システムにおいて実行される画像データ伝送方法であって、
（I）  前記第１端末装置では、
送信すべき画像データに対して、該画像データを管理するための管理情報を付加する付加処理と該画像データ中に前記画像データの著作権者に関すると共に該画像データが第何世代目のコピーであるかを示す情報を有する世代入りウオータマークを埋め込む埋込処理とを含む第１処理を施すことで、通信用データを生成する第１処理工程と、
該生成された通信用データを、前記通信網を介して送信する第１通信工程と
が実行され、
（II）  前記第２端末装置では、
前記通信網を介して前記送信された通信用データを受信する第２通信工程と、
該受信された通信用データに含まれる前記世代入りウオータマークを更新する第２処理工程と、
該第２処理工程により更新された世代入りウオータマークが埋め込まれ且つ前記管理情報が付加された画像データを記録媒体に記録する記録工程と
が実行される
ことを特徴とする画像データ伝送方法。
【請求項１４】
通信網に収容される第１端末装置及び第２端末装置を含む画像データ伝送システムにおいて実行される画像データ伝送方法であって、
（I）  前記第１端末装置では、
送信すべき画像データに対して、該画像データを管理するための該画像データに対して施すべき加工処理を指示する加工指示情報を含む管理情報を付加する付加処理を含む第１処理を施すことで、通信用データを生成する第１処理工程と、
該生成された通信用データを、前記通信網を介して送信する第１通信工程と
が実行され、
（II）  前記第２端末装置では、
前記通信網を介して前記送信された通信用データを受信する第２通信工程と、
該受信された通信用データ中の前記画像データに対して、前記加工指示情報により示される加工処理を施す第２処理工程と、
前記加工処理が施された画像データを、前記管理情報が付加された形で、記録媒体に記録する記録工程と
が実行される
ことを特徴とする画像データ伝送方法。
【請求項１５】
通信網に収容される第１端末装置、第２端末装置及び管理センターを含む画像データ伝送システムにおいて実行される画像データ伝送方法であって、
（I）  前記第１端末装置では、
送信すべき画像データに対して、該画像データを管理するための該画像データに対して施すべき加工処理を指示する加工指示情報を含む管理情報を付加する付加処理を含む第１処理を施すことで、通信用データを生成する第１処理工程と、
該生成された通信用データを、前記通信網を介して送信する第１通信工程と
が実行され、
（II）  前記第２端末装置では、
前記通信網を介して前記送信された通信用データを受信する第２通信工程と、
該受信された通信用データを記録媒体に記録する記録工程と
が実行され、
（III）  前記管理センターでは、
前記第１通信工程によって送信された通信用データを、前記通信網を介して受信する第３通信工程と、
該受信された通信用データ中の前記画像データに対して、前記加工指示情報により示される加工処理を施す第３処理工程と
が実行され、
前記第３通信工程は、前記加工処理が施され且つ前記管理情報が付加された画像データを、新たに前記通信用データとして送信し、
前記第２通信工程は、前記通信網を介して前記管理センターを中継する形式で、前記第３通信手段から送信された前記通信用データを受信する
ことを特徴とする画像データ伝送方法。
【発明の詳細な説明】
【技術分野】
【０００１】
本発明は、例えば海外の旅行先などで電子写真データが店頭に持ち込まれる海外写真店に配置されるパソコン等の第１端末装置と、国内などで該第１端末装置と同じインターネット等の通信網に収容されており国内写真店に配置されるパソコン等の第２端末装置とを備えてなる、画像データ伝送システム及び方法、並びにそのような第１端末装置、第２端末装置及び管理センターの技術分野に関する。
【背景技術】
【０００２】
電子写真に係る画像データを、インターネット等の通信網を介して送受信する画像データ伝送システムに関しては、各種の提案がなされている。【０００３】
例えば特許文献１では、電子写真データを自宅のパソコンから所定のサイトへアップロードして、クレジットカードによる支払いを行うと、電子写真データを写真に変換し、送り返すサービスが提案されている。特許文献２では、メールアドレスと電子写真データに係る添付ファイルとの関係を付ける技術が提案されている。特許文献３では、電子写真の集中プリントシステムが提案されている。特許文献４では、一意的な識別情報を持つ画像保存デバイスから得た画像を、組織化して管理する技術が提案されている。特許文献５では、相互に監視しあっている複数のプリンタによって、いずれかのプリンタでプリント不可能な場合に、バックアップする技術が提案されている。特許文献６では、著作権保護されたコンテンツのダウンロードの仕組みが提案されている。【０００４】
【特許文献１】特開２００１−３２５０８２号公報
【特許文献２】特開２００２−１５７１９８号公報
【特許文献３】特開２００２−９４９０９号公報
【特許文献４】特開２００１−２４３３２１号公報
【特許文献５】特開２００１−２９０６２９号公報
【特許文献６】特開２００５−３１８４９号公報
【発明の開示】
【発明が解決しようとする課題】
【０００５】
背景技術の如く電子写真データを、インターネット等の通信網を介して送受信する際には、送受信の過程で電子写真データが失われる可能性がある。しかるに、例えば自宅のパソコン等である送信側には、当該電子写真データを残すことが一般的である。特に、自宅のパソコン等には、デジタルカメラにおけるメモリカード等の記憶容量と比べて桁違いに大きい記憶容量を有するハードディスク、ＤＶＤ等の記録媒体を備えているので、送信後に、大切な電子写真データを消去する必要は元よりない。このため、仮に送受信の過程で電子写真データが失われても、電子写真データ自体を失うという問題には至らない。【０００６】
しかしながら、海外の旅行先などで、電子写真データを店頭に持ち込む場合、持ち込み先のパソコン等や持ち込み先でのデータ通信を信頼して、メモリカード等の記録媒体から電子写真データを消去すると、大切な電子写真データが失われる可能性があるという技術的問題点がある。逆に、持ち込み先のパソコン等や持ち込み先でのデータ通信を信頼しないで、念のためメモリカード等の記録媒体から電子写真データを消去しないのであれば、当該持ち込む行為自体の意味が半減或いは殆どなくなってしまう。即ち、メモリカード等の記録媒体を海外の旅行先などで態々電子写真データを店頭に持ち込む主目的は、メモリカード等の記録媒体の記憶容量を回復させることに他ならないと考えられるからである。【０００７】
加えて、持ち込み先で、念のためメモリカード等の記録媒体から電子写真データを消去しなくても、或いは受信側で電子写真データの受信に成功したとしても、大切な電子写真データが、ハッキング行為による盗難や紛失等に会う可能性があるという技術的問題点がある。【０００８】
本発明は、例えば上述した問題点に鑑みなされたものであり、インターネット等の通信網を介しての電子写真データの伝送を、比較的高い信頼性で且つ比較的効率良く行うことを可能ならしめる画像データ伝送システム及び方法、並びにこのようなシステムの送信側及び受信側を夫々構成する認証装置及び管理センターを提供することを課題とする。
【課題を解決するための手段】
【０００９】
（画像データ伝送システム）
本発明の第１の画像データ伝送システムは上記課題を解決するために、通信網に収容される第１端末装置及び第２端末装置を含む画像データ伝送システムであって、（I）前記第１端末装置は、送信すべき画像データに対して、該画像データを管理するための該画像データの著作者に関する著作権者情報を含む管理情報を付加する付加処理と該画像データ中に前記著作権者に関するウオータマークを埋め込む埋込処理とを含む第１処理を施すことで、通信用データを生成する第１処理手段と、該生成された通信用データを、前記通信網を介して送信する第１通信手段とを備え、（II）前記第２端末装置は、前記通信網を介して前記送信された通信用データを受信する第２通信手段と、該受信された通信用データ又は該受信された通信用データに含まれる前記管理情報が付加され且つ前記ウオータマークが埋め込まれた画像データを、記録媒体に記録する記録手段とを備える。【００１０】
本発明の第１の画像データ伝送システムによれば、画像データは、例えば電子写真データ（即ち、デジタルカメラ或いはデジカメや、ビデオカメラでの撮影により生成された写真データ）である。そのフォーマットとしては、例えばＪＰＥＧ（Joint Photographic Experts Group）規格に基づくものでもよいし、ＭＰＥＧ（Moving Picture Expert Group）規格に基づくものでもよい。画像データは、例えばその所有者たるユーザによって、海外の旅行先などで店頭に、メモリカードやメモリスティック等を備える記録媒体に格納された状態で持ち込まれる。【００１１】
例えば、インターネット等の通信網に収容される第１端末装置は、ハードウエア的には、そのような旅行先の店頭に配置されるパソコン等から構成されており、次に説明する第１端末装置に係る各種機能を果たす各種論理構成要素が、ソフトウエアにより具現化されている。他方、第１端末装置と同じくインターネット等の通信網に収容される第２端末装置は、例えばユーザにとっての国内或いは第三国（即ち、例えば低コストでプリント可能な発展途上国などの、上述した海外でも国内でもない他の国）の店頭や集配センター或いはサービスセンターに配置されている。このように配置される第２端末装置は、当該画像データ伝送システムの中に、一つだけ配置されていてもよいし、後述の如く複数配置されていてもよい。第２端末装置は例えば、ハードウエア的には、そのような店頭に配置されるパソコン等から構成されており、次に説明する第２端末装置に係る各種機能を果たす各種論理構成要素が、ソフトウエアにより具現化されている。【００１２】
先ず第１端末装置側では、ユーザにより、画像データが持ち込まれると、例えばコントローラ、メモリ等を備える第１処理手段によって、画像データに対して第１処理が施される。この第１処理の一環として、付加処理によって画像データを管理するための管理情報が、画像データに付加され、これと相前後して又は同時に、埋込処理によって、該画像データ中に著作権者に関するウオータマーク（即ち、電子透かし）が埋め込まれる或いは挿入される。尚、ここで埋め込まれるウオータマークは、少なくとも著作権情報と関連付けられた画像固有の画像IDであってもよく。画像ＩＤは、著作権者の名前や、伝送依頼者や登録者などの情報を示す画像データ固有のＩＤであり、管理情報とリンクしてもよい。【００１３】
ここに「管理情報」とは、画像データに何らかの関連付がされており、画像データを管理するために利用可能な情報を意味する。例えば、(1)ユーザ、画像データが記憶されたメモリカード又は画像データの生成に係るデジタルカメラなどを識別するための、例えばユーザＩＤ（Identification）、氏名、住所、電話番号等を示す各種ユーザ識別情報或いはＩＤ情報、や(2)画像データの著作権者を明示する著作権者管理情報などがある。更に、管理センターからのデータの入出力記録、プリントアウト処理、ディスク作成などについての履歴を示す履歴情報が、管理情報の一部に含まれてもよい。加えて、ＤＶＤ規格等の所定種類の規格に準拠した、例えば、ディスクＩＤ情報やＥＤＣ（Error Detection Code）情報の他、セクタ単位で記録されることになるディスク管理情報或いはファイルシステムの少なくとも一部となる情報などが、ここでの管理情報の一部に含まれていてもよい。言い換えれば、上述したユーザ識別情報、著作権者管理情報等の各種の管理情報は、後にＤＶＤ規格等の所定種類の規格に準拠した記録媒体上にそのままでも（又は若干修正を加えるだけで）適式な管理情報として記録され再生されることが可能なように、ＤＶＤ規格等の所定種類の規格に準拠した管理情報として、画像データに対して付加されるのが好ましい。【００１４】
このような管理情報は、例えば、第１端末装置に備えられたキーボード、マウス、入力ペン、音声入力装置等を備えた入力手段を介して入力されてもよいし、ユーザ所有の画像データが記録されているメモリカード等や、ユーザ所有のデジタルカメラ等の機材から、所定規格の入力ポートを介して、第１端末装置に読み込むように構成してもよい。更に、ユーザ所有の携帯電話やモバイルなど、画像データとは直接関係のない機材から、所定規格のポートを介して又は電話により、第１端末装置に読み込むようにしてもよい。【００１５】
加えて、このような管理情報は、第１処理手段で付加された後に、例えば第２端末装置側や管理センター側で、適宜更新されてもよい。例えば、通信網を介して送受信された画像データの状態に応じて、画像データに対して施された加工処理に応じて、又は第２端末装置側の個別状況に応じてなど、各種の状況に応じて管理情報は更新されてもよい。【００１６】
他方、「ウオータマーク」は、画像データの所定箇所に埋め込まれる、或いは挿入される画像データとは異なる種類の電子データである。ウオータマークは、電子透かしとも呼ばれ、画像データ中にディスプレイ上で画像データに対応する画像を観察する観察者によっては視認困難或いは視認不可能なように、例えば著作権者の氏名、識別番号等の、当該画像データに関連するテキスト情報やデジタル情報など所定種類の情報が、ここでは、ウオータマークとして埋め込まれる。【００１７】
ウオータマークについても、第１処理手段で埋め込まれた後に、例えば第２端末装置側や管理センター側で、適宜更新されてもよい。例えば、画像データが何世代目のデータコピーであるかに応じて該コピー世代数を示すウオータマークについては、第２端末装置や管理センターにおいてデータコピーされる都度に、更新されてもよい。例えば、第１端末装置側と第２端末装置側との間で、通信用データの送受信開始前に相互認証を行なうことができる場合において、データムーブされたときは世代入りウオータマーク、即ち世代管理情報は更新せず、データコピーされたときには世代入りウオータマークを更新或いは追加するようにしてもよい。一方、例えば通信用データの送受信開始前に相互認証が行えない場合においては、データムーブされたときにも、データコピーがされた場合と同様とみなして世代入りウオータマークを更新或いは追加してもよい。【００１８】
また、例えば初めて通信用データの送受信を行う場合、即ち画像データに世代入りウオータマークが埋め込まれていない場合は、全ての画像データに世代入りウオータマーク（即ち世代管理情報）を埋め込めんでもよい。【００１９】
以上のように、付加処理及び埋込処理を含む第１処理によって、通信用データが生成される。【００２０】
尚、例えば、上述の如き管理情報の付加と相前後して又は同時に、或いはウオータマークの埋め込みと相前後して或いは同時に、画像データに対して復元時に第１エラー訂正を施すための第１エラー訂正符号が、画像データに付加されてもよい。第１エラー訂正符号は、例えばＤＶＤ規格等の所定種類の規格に準拠しているＥＣＣ（Error Correction Code）である。このフォーマット処理の中で、その他、例えば、ＤＶＤ規格等に準拠しているインターリーブ処理や暗号化処理等が行われてもよい。加えて、第１処理手段によって、上述の如く第１処理が施された画像データは、例えば、固定データ長のデータパッケージ単位へ分割パッケージ化されて、典型的には複数或いは多数である（但し、画像データのサイズが小さい場合には１個の場合もあり得る）ｎ個のデータパッケージが生成されてもよい。更に、第１処理手段によって、生成されたｎ個のデータパッケージに対して夫々、データパッケージの復元時に第２エラー訂正を施すための第２エラー訂正符号が付加されてもよい。【００２１】
その後、例えばモデム等を備える第１通信手段によって、例えば第１及び第２端末装置間における認証が、例えばインターネットや専用回線網である通信網を介して両端末装置間で直接、若しくは後述の管理センターを中継して実行された後、上述の如く生成された通信用データは、通信網を介して第２端末装置へ送信される。或いは、第１通信手段によって、例えば第１端末装置及び後述の管理センター間における認証が、通信網を介して実行された後、上述の如く生成された通信用データは、通信網を介して管理センターへ送信される。第１端末装置は、典型的には、第２端末装置又は管理センターとの間で、認証可能な第１認証装置からなる。同様に、第２端末装置は、典型的には、第１端末装置又は管理センターとの間で、認証可能な第２認証装置からなる。ここでの認証方式としては、例えばパスワード及び暗号を送受信する、既存の各種認証方式が適用可能である。このため、第１及び第２通信手段は好ましくは、通信用データの送受信の以前に、認証を行うための管理情報の少なくとも一部からなる又は他の認証用情報を送受信して先ず認証処理を行うか、若しくは通信用データの送受信の後に先ず認証処理を行い、認証できない場合に、その後の処理を中止する。【００２２】
他方、第２端末装置側では、第１通信装置又は管理センターとの認証が実行された後、例えばモデム等を備える第２通信手段によって、通信網を介して、第１端末装置から直接又は管理センターを中継して、通信用データが受信される。【００２３】
すると、この受信された通信用データ又はこれに含まれる管理情報が付加され且つ前記ウオータマークが埋め込まれた画像データは、コントローラ、光ピックアップ等を備える記録手段によって、例えばＤＶＤ或いは光ディスクなどである記録媒体に記録される。この際、管理情報やウオータマークについては、既に述べたように状況に応じて適宜更新されてから、記録媒体に記録されてもよい。【００２４】
この際、管理情報については好ましくは、予めＤＶＤ規格等の記録媒体の規格に準拠して画像データに対して付加されているのであれば、そのまま（即ち、画像データとの関係が保持されたままで）又は若干の修正や追加或いは更新が施された後に、画像データ及び、例えば前述の第１エラー訂正符号と一緒に記録媒体に記録される。ウオータマークについても同様に好ましくは、予めＤＶＤ規格等の記録媒体の規格に準拠して画像データに対して埋め込まれているのであれば、そのまま（即ち、画像データとの関係が保持されたままで）又は若干の修正や追加或いは更新が施された後に、画像データと一緒に記録媒体に記録される。これらにより記録媒体に記録された画像データが後に復元（言い換えれば、再生）される際に、第１端末装置側で予め付加した管理情報及び予め埋め込んだウオータマークを少なくとも部分的に用いることが可能となるので、全体として効率化が図れる。【００２５】
尚、記録手段によって、画像データに対して、８−１６変調等の変調処理を施してから記録してもよい。（尚、第１端末装置側で、予め８−１６変調を行ってから送信してもよいが、この場合には、送信すべきデータが２倍程度に膨らむので、第２端末装置で８−１６変調を行う方が有利である。）
その後、第２端末装置が配置された店にて、このようにウオータマークが埋め込まれた画像データが、管理情報の一部又は全部と共に記録された記録媒体の保持や配送、これに基づくプリントアウトやその配送等の各種の関連業務が行われることになる。【００２６】
このように、管理情報中に著作権者情報が存在すると共に画像データ中にウオータマークが存在するので、インターネット等の通信網を介して、個人のプライバシーに係る或いは財産的価値の高い著作権が付随した電子写真データなどの画像データが、その伝送や保管の過程で盗難や遺失に遭遇しても、適切な保護が可能となる。例えば、盗難や遺失されても、画像データには所定箇所にウオータマークが存在するので、それが適法なものであるか不適法なものであるかが、正規の著作権者により判明可能にできる。その際の、画像データに係る著作権が誰に帰属するか等の正規の権利関係或いは法律関係については、画像データに埋め込まれたウオータマークと、管理情報に含まれる著作権者情報との関係付けから明らかにされる。例えば、伝送中の通信用データについて、或いはその後における保管や記録されるウオータマーク入りで且つ管理情報付きの画像データについて、ウオータマークと著作権者情報との関係が保障されることで、管理者証明や所有者証明などを確実に行える。言い換えれば、第２端末装置が配置された店舗や管理センターで、ウオータマークで示された著作権者と、管理情報中の著作権者情報により示される著作権者又は所有者との関係を、保障する機能を有するようにできる。【００２７】
以上の結果、インターネット等の通信網を介しての電子写真データの伝送を、特に著作権保護の観点から比較的高い信頼性で且つ比較的効率良く行うことが可能となる。このため、ユーザにより画像データが持ち込まれた海外の旅行先等の店舗では、預かった電子写真データ等の画像データを、ユーザの国内又は第三国等における他の店舗へ直接又は管理センターを中継して送り届けるサービスを実現できる。更に、係る他の店舗による最終的にユーザの自宅までＤＶＤやプリントを届けるサービスを実現できる。【００２８】
本発明の第２の画像データ伝送システムは上記課題を解決するために、通信網に収容される第１端末装置及び第２端末装置を含む画像データ伝送システムであって、（I）前記第１端末装置は、送信すべき画像データに対して、該画像データを管理するための管理情報を付加する付加処理と該画像データ中に前記画像データの著作権者に関すると共に該画像データが第何世代目のコピーであるかを示す情報を有する世代入りウオータマークを埋め込む埋込処理とを含む第１処理を施すことで、通信用データを生成する第１処理手段と、該生成された通信用データを、前記通信網を介して送信する第１通信手段とを備え、（II）前記第２端末装置は、前記通信網を介して前記送信された通信用データを受信する第２通信手段と、該受信された通信用データに含まれる前記世代入りウオータマークを更新する第２処理手段と、該第２処理手段により更新された世代入りウオータマークが埋め込まれ且つ前記管理情報が付加された画像データを記録媒体に記録する記録手段とを備える。【００２９】
本発明の第２の画像データ伝送システムによれば、上述した第１の画像データ伝送システムの場合と同様に、画像データは、例えば電子写真データであり、インターネット等の通信網に収容される第１端末装置、第２端末装置及び管理センターは夫々、パソコン等から構成されている。【００３０】
先ず第１端末装置側では、ユーザにより、画像データが持ち込まれると、例えばコントローラ、メモリ等を備える第１処理手段によって、画像データに対して第１処理が施される。この第１処理の一環として、付加処理によって画像データを管理するための管理情報が、画像データに付加され、これと相前後して又は同時に、埋込処理によって、該画像データ中に著作権者に関する世代入りウオータマークが埋め込まれる或いは挿入される。【００３１】
「管理情報」については、例えば上述した第１の画像データ伝送システムの場合と同様であるが、前述の著作権者情報を含むか否かについては必須ではない。【００３２】
他方、「ウオータマーク」は、上述した第１の画像データ伝送システムの場合と概ね同様であるが、ここでは特に、該画像データが第何世代目のコピーであるかを示す情報を有する「世代入りウオータマーク」である。【００３３】
以上のように、付加処理及び埋込処理を含む第１処理によって、通信用データが生成される。【００３４】
その後、例えばモデム等を備える第１通信手段によって、例えば第１及び第２端末装置間における認証が、例えばインターネットや専用回線網である通信網を介して両端末装置間で直接、若しくは後述の管理センターを中継して実行された後、上述の如く生成された通信用データは、通信網を介して第２端末装置へ送信される。或いは、第１通信手段によって、例えば第１端末装置及び後述の管理センター間における認証が、通信網を介して実行された後、上述の如く生成された通信用データは、通信網を介して管理センターへ送信される。【００３５】
他方、第２端末装置側では、第１通信装置又は管理センターとの認証が実行された後、例えばモデム等を備える第２通信手段によって、通信網を介して、第１端末装置から直接又は管理センターを中継して、通信用データが受信される。【００３６】
すると、該受信された通信用データに含まれる世代入りウオータマークは、コントローラ、メモリ等を備えた第２処理手段によって、更新される。例えば、世代入りウオータマークについては、第２端末装置においてデータコピーされる都度に、第０世代→第１世代→第２世代→…のように更新される。加えて、後述の管理センターでデータコピーされた場合にも、更新される。【００３７】
その後、該第２処理手段により更新された世代入りウオータマークが埋め込まれ、且つ更新された又はされない管理情報が付加された画像データは、コントローラ、光ピックアップ等を備える記録手段によって、例えばＤＶＤ或いは光ディスクなどである記録媒体に記録される。【００３８】
この際、管理情報については好ましくは、予めＤＶＤ規格等の記録媒体の規格に準拠して画像データに対して付加されているのであれば、そのまま（即ち、画像データとの関係が保持されたままで）又は若干の修正や追加或いは更新が施された後に、画像データ及び、例えば前述の第１エラー訂正符号と一緒に記録媒体に記録される。ウオータマークについても同様に好ましくは、予めＤＶＤ規格等の記録媒体の規格に準拠して画像データに対して埋め込まれているのであれば、そのまま（即ち、画像データとの関係が保持されたままで）又は若干の修正や追加或いは更新が施された後に、画像データと一緒に記録媒体に記録される。これらにより記録媒体に記録された画像データが後に復元（言い換えれば、再生）される際に、第１端末装置側で予め付加した管理情報及び予め埋め込んだウオータマークを少なくとも部分的に用いることが可能となるので、全体として効率化が図れる。【００３９】
その後、第２端末装置が配置された店にて、このように世代入りウオータマークが埋め込まれた画像データが、管理情報の一部又は全部と共に記録された記録媒体の保持や配送、これに基づくプリントアウトやその配送等の各種の関連業務が行われることになる。【００４０】
このように、画像データ中に世代入りウオータマークが存在するので、インターネット等の通信網を介して、個人のプライバシーに係る或いは財産的価値の高い著作権が付随した電子写真データなどの画像データが、その伝送や保管の過程で盗難や遺失に遭遇しても、適切な保護が可能となる。例えば、盗難や遺失されても、画像データには所定箇所に世代入りウオータマークが存在するので、それが何度データコピーされた時点のものであるかを含めて、適法なものであるか不適法なものであるかが、正規の著作権者により判明可能にできる。その際の、画像データに係る著作権が誰に帰属するか等の正規の権利関係或いは法律関係については、画像データに埋め込まれた世代入りウオータマークと、管理情報との関係付けから明らかにされる。【００４１】
以上の結果、インターネット等の通信網を介しての電子写真データの伝送を、特に著作権保護の観点から比較的高い信頼性で且つ比較的効率良く行うことが可能となる。【００４２】
尚、第１端末装置側と第２端末装置側との間、第１端末装置側と管理センター側との間或いは、第２端末装置側と管理センター側との間で、通信用データの送受信開始前に相互認証を行なうことができる場合において、通信用データに対しデータムーブされたときは世代入りウオータマーク、即ち世代管理情報は更新せず、データコピーされたときには世代入りウオータマークを更新或いは追加するようにしてもよい。一方、通信用データの送受信開始前に相互認証が行えない場合においては、通信用データに対しデータムーブされたときにも、データコピーされた場合と同様とみなして世代入りウオータマークを更新或いは追加してもよい。【００４３】
また、初めて通信用データの送受信を行う場合、即ち画像データに世代入りウオータマークが埋め込まれていない場合は、全ての画像データに世代入りウオータマーク（即ち世代管理情報）を埋め込めんでもよい。【００４４】
本発明の第２の画像データ伝送システムの一態様では、前記通信網に、管理センターが更に収容されており、前記管理センターは、(a)前記第１通信手段から送信された通信用データを、前記通信網を介して受信する第３通信手段と、(b)該受信された通信用データに含まれる前記世代入りウオータマークを更新する第３処理手段とを備え、前記第３通信手段は、前記第３処理手段により更新された世代入りウオータマークが埋め込まれ且つ前記管理情報が付加された画像データを、新たに前記通信用データとして送信し、前記第２通信手段は、前記通信網を介して前記管理センターを中継する形式で、前記第３通信手段から送信された前記通信用データを受信する。【００４５】
この態様によれば、世代入りウオータマークが埋め込まれた画像データからなる通信用データは、管理センターを中継して、第１端末装置から第２端末装置へと伝送される。ここで特に、管理センターでは、例えばコントローラ、メモリ等を備えた第３処理手段によって、世代入りウオータマークが更新される。従って、例えば、世代入りウオータマークについては、管理センターにおいてデータコピーされると、第０世代→第１世代を示すように更新される。その後、該第２処理手段により更新された世代入りウオータマークが埋め込まれ、且つ更新された又はされない管理情報が付加された画像データは、第３通信手段を介して第２端末装置へと送信される。その後、世代入りウオータマークについては、第２端末装置においてデータコピーされると、今度は、第１世代→第２世代を示すように更新される。【００４６】
尚、世代を示す情報の更新の態様は、書き換えを行ってもよいし、書き足しを行ってもよい。【００４７】
このように、画像データ中に、中継局としての機能を有する管理センターで更新される世代入りウオータマークが存在するので、インターネット等の通信網を介して、個人のプライバシーに係る或いは財産的価値の高い著作権が付随した電子写真データなどの画像データの適切な保護が可能となる。【００４８】
本発明の第３の画像データ伝送システムは上記課題を解決するために、通信網に収容される第１端末装置及び第２端末装置を含む画像データ伝送システムであって、（I）前記第１端末装置は、送信すべき画像データに対して、該画像データを管理するための該画像データに対して施すべき加工処理を指示する加工指示情報を含む管理情報を付加する付加処理を含む第１処理を施すことで、通信用データを生成する第１処理手段と、該生成された通信用データを、前記通信網を介して送信する第１通信手段とを備え、（II）前記第２端末装置は、前記通信網を介して前記送信された通信用データを受信する第２通信手段と、該受信された通信用データ中の前記画像データに対して、前記加工指示情報により示される加工処理を施す第２処理手段と、前記加工処理が施された画像データを、前記管理情報が付加された形で、記録媒体に記録する記録手段とを備える。【００４９】
本発明の第３の画像データ伝送システムによれば、上述した第１の画像データ伝送システムの場合と同様に、画像データは、例えば電子写真データであり、インターネット等の通信網に収容される第１端末装置及び第２端末装置は夫々、パソコン等から構成されている。【００５０】
先ず第１端末装置側では、ユーザにより、画像データが持ち込まれると、例えばコントローラ、メモリ等を備える第１処理手段によって、画像データに対して第１処理が施される。この第１処理の一環として、付加処理によって画像データを管理するための管理情報が、画像データに付加される。これと相前後して又は同時に、埋込処理によって、該画像データ中に著作権者に関するウオータマークが埋め込まれる或いは挿入されてもよい。【００５１】
「管理情報」については、例えば上述した第１の画像データ伝送システムの場合と同様であるが、「加工指示情報」の存在は、ここでは必須である。例えば、加工指示情報により指示されるに加工処理とは、スライドショーの場合に音楽を付けるなど画像データに相応しいバックグランドミュージックを付加したり、画像データにより示される画像に相応しい背景画像（即ち、バックグランド画像）や表示画像を示す画像データを付加したりなど、更に、付加すべき音楽の具体的な識別情報（楽曲名など）や背景画像の識別情報等の、画像データに対してその付加価値を高めるために何らかの処理を意味する。【００５２】
以上のように、付加処理を含む第１処理によって、通信用データが生成される。【００５３】
そして、このように加工指示情報を含む管理情報が付加されてなる通信用データが、第１通信手段によって通信網を介して送信され、第２端末手段における第２通信手段により、受信されることになる。【００５４】
他方、第２端末装置側では、第１通信装置又は管理センターとの認証が実行された後、例えばモデム等を備える第２通信手段によって、通信網を介して、第１端末装置から直接又は管理センターを中継して、通信用データが受信される。【００５５】
すると、該受信された通信用データに含まれる画像データは、これに付加された管理情報に含まれる加工指示情報に従って、コントローラ、メモリ等を備えた第２処理手段によって、加工処理される。例えばバックグランドミュージックを付加したり、バックグランド画像や表示画像を付加したりなどが行われる。このような加工処理が施される際、画像データに対して施された加工処理に応じて管理情報は更新されてもよい。【００５６】
その後、該第２処理手段により加工処理が施された画像データは、コントローラ、光ピックアップ等を備える記録手段によって、例えばＤＶＤ或いは光ディスクなどである記録媒体に記録される。よって、当初の画像データに対して付加価値が高められたものが、最終的に第２端末装置が配置された店等でＤＶＤ等の形で提供されることになる。【００５７】
このように、画像データに加工指示情報を含む管理情報が付加されているので、加工処理を施すために必要となる、例えば音楽情報などを、画像データと共に送信しないで済む。仮に、係る加工処理のための音楽情報等のコンテンツ情報を画像データと共に伝送するのでは、伝送量が増大して、迅速或いは効率的な伝送は困難である。逆に、第２端末装置側に、加工処理用の膨大なデータを予め集約的に用意しておけば、その後、加工指示情報に従って、係る予め加工処理用に有する膨大なデータを適宜利用することで、加工処理を迅速且つ効率的に行える。【００５８】
以上の結果、インターネット等の通信網を介しての電子写真データの伝送を、比較的高い信頼性で且つ比較的効率良く行うことが可能となる。【００５９】
本発明の第４の画像データ伝送システムは上記課題を解決するために、通信網に収容される第１端末装置、第２端末装置及び管理センターを含む画像データ伝送システムであって、（I）前記第１端末装置は、送信すべき画像データに対して、該画像データを管理するための該画像データに対して施すべき加工処理を指示する加工指示情報を含む管理情報を付加する付加処理を含む第１処理を施すことで、通信用データを生成する第１処理手段と、該生成された通信用データを、前記通信網を介して送信する第１通信手段とを備え、（II）前記第２端末装置は、前記通信網を介して前記送信された通信用データを受信する第２通信手段と、該受信された通信用データを記録媒体に記録する記録手段とを備え、（III）前記管理センターは、前記第１通信手段から送信された通信用データを、前記通信網を介して受信する第３通信手段と、該受信された通信用データ中の前記画像データに対して、前記加工指示情報により示される加工処理を施す第３処理手段とを備え、前記第３通信手段は、前記加工処理が施され且つ前記管理情報が付加された画像データを、新たに前記通信用データとして送信し、前記第２通信手段は、前記通信網を介して前記管理センターを中継する形式で、前記第３通信手段から送信された前記通信用データを受信する。【００６０】
本発明の第４の画像データ伝送システムによれば、上述した第１の画像データ伝送システムの場合と同様に、画像データは、例えば電子写真データであり、インターネット等の通信網に収容される第１端末装置、第２端末装置及び管理センターは夫々、パソコン等から構成されている。【００６１】
先ず第１端末装置側では、ユーザにより、画像データが持ち込まれると、例えばコントローラ、メモリ等を備える第１処理手段によって、画像データに対して第１処理が施される。この第１処理の一環として、付加処理によって画像データを管理するための管理情報が、画像データに付加される。これと相前後して又は同時に、埋込処理によって、該画像データ中に著作権者に関するウオータマークが埋め込まれる或いは挿入されてもよい。【００６２】
「管理情報」については、例えば上述した第１の画像データ伝送システムの場合と同様であるが、「加工指示情報」の存在は、ここでは必須である。即ち、管理情報については、加工指示情報を含む点で、上述した第３の画像データ伝送システムの場合と同様である。【００６３】
以上のように、付加処理を含む第１処理によって、通信用データが生成される。【００６４】
そして、このように加工指示情報を含む管理情報が付加されてなる通信用データが、第１通信手段によって通信網を介して送信され、管理センターにおける第３通信手段により、受信されることになる。【００６５】
他方、管理センター側では、第１通信装置との認証が実行された後、例えばモデム等を備える第３通信手段によって、通信網を介して、第１端末装置から通信用データが受信される。【００６６】
すると、該受信された通信用データに含まれる画像データは、これに付加された管理情報に含まれる加工指示情報に従って、コントローラ、メモリ等を備えた第３処理手段によって、加工処理される。例えばバックグランドミュージックを付加したり、バックグランド画像や表示画像を付加したりなどが行われる。このような加工処理が施される際、画像データに対して施された加工処理に応じて管理情報は更新されてもよい。【００６７】
その後、該第３処理手段により加工処理が施された画像データは、第３通信手段によって通信網を介して送信され、第２端末手段における第２通信手段により、受信されることになる。【００６８】
他方、第２端末装置側では、管理センターとの認証が実行された後、例えばモデム等を備える第２通信手段によって、通信網を介して、第１端末装置から管理センターを中継した形で、通信用データが受信される。【００６９】
その後、受信された通信用データに含まれる画像データは、コントローラ、光ピックアップ等を備える記録手段によって、例えばＤＶＤ或いは光ディスクなどである記録媒体に記録される。よって、当初の画像データに対して付加価値が高められたものが、最終的に第２端末装置が配置された店等でＤＶＤ等の形で提供されることになる。【００７０】
このように、画像データに加工指示情報を含む管理情報が付加されているので、加工処理を施すために必要となる、例えば音楽情報などを、画像データと共に送信しないで済む。仮に、係る加工処理のための音楽情報等のコンテンツ情報を画像データと共に伝送するのでは、伝送量が増大して、迅速或いは効率的な伝送は困難である。逆に、管理センター側に、加工処理用の膨大なデータを予め集約的に用意しておけば、その後、加工指示情報に従って、係る予め加工処理用に有する膨大なデータを適宜利用することで、加工処理を迅速且つ効率的に行える。【００７１】
以上の結果、インターネット等の通信網を介しての電子写真データの伝送を、比較的高い信頼性で且つ比較的効率良く行うことが可能となる。【００７２】
尚、本発明の場合、管理センターは、管理情報を格納すると共に、管理情報に対応付けて、第３通信手段により受信された通信用データ、又は第３通信手段により受信された通信用データに対して加工処理が施されたものを格納する格納手段を更に備えてよい。このようにすれば、バックグランドミュージックが付加された画像データなどについても、管理センターによる一元管理が可能となる。【００７３】
加えて、例えば、本発明の第１から第４の画像データ伝送システムの他の態様では、前記第１処理手段は、画像データ又は通信用データに対して暗号化処理を施し、前記第２処理手段又は管理センターは、前記受信された通信用データに対して、前記暗号化処理に対応する復号化処理を施してもよい。このように構成すれば、インターネット等の通信網を介して送受信される通信用データについての秘匿性を、暗号化処理によって顕著に高めることができる。【００７４】
（第１端末装置）
本発明の第１端末装置は上記課題を解決するために、通信網に第２端末装置と共に収容されることで上述した本発明の第１から第３の画像データ伝送システム（但し、その各種態様を含む）を夫々構成する第１端末装置である。【００７５】
本発明の第１端末装置は、上述した本発明に係る第１から第３のいずれかの画像データ伝送システムを構築可能であり、これにより、インターネット等の通信網を介しての電子写真データの伝送を、比較的高い信頼性で且つ比較的効率良く行うことが可能となる。【００７６】
（第２端末装置）
本発明の第２端末装置は上記課題を解決するために、通信網に第１端末装置と共に収容されることで上述した本発明の第２又は第３の画像データ伝送システム（但し、その各種態様を含む）を構成する第２端末装置である。【００７７】
本発明の第２端末装置は、上述した本発明に係る第２又は第３の画像データ伝送システムを構築可能であり、これにより、インターネット等の通信網を介しての電子写真データの伝送を、比較的高い信頼性で且つ比較的効率良く行うことが可能となる。【００７８】
（管理装置）
本発明の管理装置は上記課題を解決するために、通信網に第１端末装置及び第２端末装置と共に収容された管理装置であって、前記第１端末装置は、送信すべき画像データに対して、該画像データに対して施すべき加工処理を指示する加工指示情報を含む管理情報を付加する付加処理を含む第１処理を施すことで、通信用データを生成して送信し、前記管理装置は、前記第１端末装置から前記送信された通信用データを、前記通信網を介して受信する第３通信手段と、該受信された通信用データ中の前記画像データに対して、前記加工指示情報により示される加工処理を施す第３処理手段とを備え、前記第３通信処理手段は、前記加工処理が施され且つ前記管理情報が付加された画像データを、新たに通信用データとして前記第２端末装置に対して送信する。【００７９】
本発明の管理装置は、上述した本発明に係る第４の画像データ伝送システムを、管理センターとして構築可能であり、これにより、インターネット等の通信網を介しての電子写真データの伝送を、比較的高い信頼性で且つ比較的効率良く行うことが可能となる。【００８０】
（画像データ伝送方法）
本発明の第１の画像データ伝送方法は上記課題を解決するために、通信網に収容される第１端末装置及び第２端末装置を含む画像データ伝送システムにおいて実行される画像データ伝送方法であって、（I）前記第１端末装置では、送信すべき画像データに対して、該画像データを管理するための該画像データの著作者に関する著作権者情報を含む管理情報を付加する付加処理と該画像データ中に前記著作権者に関するウオータマークを埋め込む埋込処理とを含む第１処理を施すことで、通信用データを生成する第１処理工程と、該生成された通信用データを、前記通信網を介して送信する第１通信工程とが実行され、（II）前記第２端末装置では、前記通信網を介して前記送信された通信用データを受信する第２通信工程と、該受信された通信用データ又は該受信された通信用データに含まれる前記管理情報が付加され且つ前記ウオータマークが埋め込まれた画像データを、記録媒体に記録する記録工程とが実行される。【００８１】
本発明の第２の画像データ伝送方法は上記課題を解決するために、通信網に収容される第１端末装置及び第２端末装置を含む画像データ伝送システムにおいて実行される画像データ伝送方法であって、（I）前記第１端末装置では、送信すべき画像データに対して、該画像データを管理するための管理情報を付加する付加処理と該画像データ中に前記画像データの著作権者に関すると共に該画像データが第何世代目のコピーであるかを示す情報を有する世代入りウオータマークを埋め込む埋込処理とを含む第１処理を施すことで、通信用データを生成する第１処理工程と、該生成された通信用データを、前記通信網を介して送信する第１通信工程とが実行され、（II）前記第２端末装置では、前記通信網を介して前記送信された通信用データを受信する第２通信工程と、該受信された通信用データに含まれる前記世代入りウオータマークを更新する第２処理工程と、該第２処理工程により更新された世代入りウオータマークが埋め込まれ且つ前記管理情報が付加された画像データを記録媒体に記録する記録工程とが実行される。【００８２】
本発明の第３の画像データ伝送方法は上記課題を解決するために、通信網に収容される第１端末装置及び第２端末装置を含む画像データ伝送システムにおいて実行される画像データ伝送方法であって、（I）前記第１端末装置では、送信すべき画像データに対して、該画像データを管理するための該画像データに対して施すべき加工処理を指示する加工指示情報を含む管理情報を付加する付加処理を含む第１処理を施すことで、通信用データを生成する第１処理工程と、該生成された通信用データを、前記通信網を介して送信する第１通信工程とが実行され、（II）前記第２端末装置では、前記通信網を介して前記送信された通信用データを受信する第２通信工程と、該受信された通信用データ中の前記画像データに対して、前記加工指示情報により示される加工処理を施す第２処理工程と、前記加工処理が施された画像データを、前記管理情報が付加された形で、記録媒体に記録する記録工程とが実行される。【００８３】
本発明の第４の画像データ伝送方法は上記課題を解決するために、通信網に収容される第１端末装置、第２端末装置及び管理センターを含む画像データ伝送システムにおいて実行される画像データ伝送方法であって、（I）前記第１端末装置では、送信すべき画像データに対して、該画像データを管理するための該画像データに対して施すべき加工処理を指示する加工指示情報を含む管理情報を付加する付加処理を含む第１処理を施すことで、通信用データを生成する第１処理工程と、該生成された通信用データを、前記通信網を介して送信する第１通信工程とが実行され、（II）前記第２端末装置では、前記通信網を介して前記送信された通信用データを受信する第２通信工程と、該受信された通信用データを記録媒体に記録する記録工程とが実行され、（III）前記管理センターでは、前記第１通信工程によって送信された通信用データを、前記通信網を介して受信する第３通信工程と、該受信された通信用データ中の前記画像データに対して、前記加工指示情報により示される加工処理を施す第３処理工程とが実行され、前記第３通信工程は、前記加工処理が施され且つ前記管理情報が付加された画像データを、新たに前記通信用データとして送信し、前記第２通信工程は、前記通信網を介して前記管理センターを中継する形式で、前記第３通信手段から送信された前記通信用データを受信する。【００８４】
本発明の第１から第４の画像データ伝送方法によれば、上述した本発明の第１から第４の画像データ伝送システムの場合と夫々同様に、インターネット等の通信網を介しての電子写真データの伝送を、比較的高い信頼性で且つ比較的効率良く行うことが可能となる。【００８５】
尚、本発明の第１から第４の画像データ伝送方法では、上述した本発明の第１から第４の画像データ伝送システムの各種態様に夫々対応する各種態様を適宜採ることができる。【００８６】
本発明の作用及び他の利得は次に説明する実施例から明らかにされる。【００８７】
以上詳細に説明したように、本発明の第１から第４の画像データ伝送システムは夫々、第１処理手段を備えた第１端末装置、第２処理手段及び記録手段を備えた第２端末装置等を備えるので、電子写真データの伝送を比較的高い信頼性で且つ比較的効率良く行うことが可能となる。本発明の第１端末装置は、第１処理手段を備えるので、本発明の画像データ伝送システムを構築し、これにより電子写真データの伝送を比較的高い信頼性で且つ比較的効率良く行うことが可能となる。本発明の第２端末装置は、第２処理手段及び記録手段を備えるので、本発明の画像データ伝送システムを構築し、これにより電子写真データの伝送を比較的高い信頼性で且つ比較的効率良く行うことが可能となる。本発明の管理センターは、第３処理手段を備えるので、本発明の画像データ伝送システムを構築し、これにより電子写真データの伝送を比較的高い信頼性で且つ比較的効率良く行うことが可能となる。また、本発明に係る第１から第４の画像データ伝送方法は夫々、第１端末装置で第１処理工程が実行され、第２端末装置で第２処理工程が実行されるなどによって、電子写真データの伝送を比較的高い信頼性で且つ比較的効率良く行うことが可能となる。
【図面の簡単な説明】
【００８８】
【図１】第１実施例に係る画像データ伝送システムの基本構成を示す概念図である。
【図２】第１実施例に係る第１端末装置の基本構成を示すブロック図である。
【図３】第１実施例に係る第２端末装置の基本構成を示すブロック図である。
【図４】第１実施例に係る第１端末装置側の動作原理を示すフローチャートである。
【図５】第１実施例に係る通信用データの構造を示す概念図である。
【図６】第１実施例の変形例における図５と同趣旨の図である。
【図７】第１実施例に係る第２端末装置側の動作原理を示すフローチャートである。
【図８】第２実施例に係る画像データ伝送システムの基本構成を示す概念図である。
【図９】第２実施例に係る管理センターの基本構成を示すブロック図である。
【図１０】第２実施例に係る第１端末装置及び管理センターの動作原理を示すフローチャートである。
【図１１】第３実施例に係る管理センターの基本構成を示すブロック図である。
【図１２】第３実施例に係る第１端末装置の動作原理を示すフローチャートである。
【図１３】第３実施例における図５と同趣旨の図である。
【図１４】第３実施例の変形例における図６と同趣旨の図である。
【図１５】第３実施例に係る管理センターの動作原理を示すフローチャートである。
【符号の説明】
【００８９】
５０  管理情報
６０、６２  データパッケージ
８０  管理センター情報
１１０  第１端末装置
１１１  第１処理部
１１２  第１通信部
２１０  第２端末装置
２１１  第２処理部
２１２  第２通信部
２１５  記録部
２１６  状態情報生成部
２１７  選択部
５００  インターネット
ＥＣＣ１  第１エラー訂正符号
ＥＣＣ２  第２エラー訂正符号
【発明を実施するための最良の形態】
【００９０】
以下、本発明を実施するための最良の形態について実施例毎に順に図面に基づいて説明する。【００９１】
（第１実施例）
先ず、図１から図７を参照して本発明の第１実施例に係る画像データ伝送システムについて説明する。【００９２】
（１−１）基本構成
図１から図３を参照して、本発明の第１実施例に係る画像データ伝送システムの基本構成について説明する。ここに、図１は、第１実施例に係る画像データ伝送システムの基本構成を示す概念図である。図２は、第１実施例に係る第１端末装置の基本構成を示すブロック図である。図３は、第１実施例に係る第２端末装置の基本構成を示すブロック図である。【００９３】
第１実施例に係る画像データ伝送システムでは、画像データが、その所有者たるユーザによって、海外の旅行先などで店頭に、メモリカードやメモリスティック等を備える記録媒体に格納された状態で持ち込まれる場合を例に説明する。尚、例えばデジタルカメラに内蔵されたハードディスクやＤＶＤ等の記憶媒体に格納された状態で持ち込まれてもよい。【００９４】
図１に示すように、第１実施例に係る画像データ伝送システムは、主として、インターネット５００に収容される第１端末装置１１０及び第２端末装置２１０から構成されている。【００９５】
第１端末装置１１０は、ハードウエア的には、旅行先の写真店である海外写真店１００の店頭に配置されるパソコン等から構成されており、次に説明する第１端末装置１１０に係る各種機能を果たす各種論理構成要素が、ソフトウエアにより具現化されている。第１端末装置１１０は、画像データ１０を読み取るためのデータ読取装置１２０と接続されている。【００９６】
第２端末装置２１０は、ユーザにとっての国内或いは第三国の写真店である国内写真店２００の店頭や集配センター或いはサービスセンターに配置されるパソコン等から構成されている。このように配置される第２端末装置２１０は、当該画像データ伝送システムの中に、複数配置されている。尚、このように配置される第２端末装置２１０は、一つだけ配置されていてもよい。第２端末装置２１０は、次に説明する第２端末装置２１０に係る各種機能を果たす各種論理構成要素が、ソフトウエアにより具現化されている。【００９７】
画像データ１０は、例えば電子写真データ（即ち、デジタルカメラ或いはデジカメや、ビデオカメラでの撮影により生成された写真データ）である。そのフォーマットとしては、例えばＪＰＥＧ（Joint Photographic Experts Group）規格に基づくものでもよいし、ＭＰＥＧ（Moving Picture Expert Group）規格に基づくものでもよい。【００９８】
図２に示すように、第１端末装置１１０は、第１処理部１１１及び第１通信部１１２を備えて構成されている。第１処理部１１１は、コントローラ、メモリ等を備えている。第１通信部１１２は、モデム等を備えている。【００９９】
図３に示すように、第２端末装置２１０は、第２処理部２１１、第２通信部２１２、記録部２１５、状態情報生成部２１６及び選択部２１７を備えて構成されている。第２処理部２１１は、判定部２１３及び選択的エラー訂正部２１４を含んでいる。第２処理部２１１、状態情報生成部２１６、選択部２１７、判定部２１３及び選択的エラー訂正部２１４は夫々、コントローラ、メモリ等を備えている。第２通信部２１２は、モデム等を備えている。記録部２１５は、コントローラ、光ピックアップ等を備えている。【０１００】
（１−２）動作原理（通信用データの生成）
次に、図４及び図５に加えて前述した図１から図３を適宜参照して、本発明の第１実施例に係る通信用データの生成の動作原理について説明する。ここに、図４は、第１実施例に係る第１端末装置側における動作原理を示すフローチャートである。図５は、第１実施例に係る通信用データの構造を示す概念図である。【０１０１】
ここでは、通信用データの生成に係る動作として、第１端末装置１１０で、図４に示したフローチャートの前半部分である、ステップＳ１０２からＳ１１１の処理が行われる。【０１０２】
図４に示すように、先ず第１端末装置１１０側では、ユーザにより、画像データ１０が持ち込まれると、第１端末装置１１０のフラグレジスタ等の初期化が行われ（ステップＳ１０１）、データ読取装置１２０を介して、第１端末装置１１０に画像データ１０が読み込まれる（ステップＳ１０２）。この際、ユーザＩＤ（Identification）、氏名、住所、電話番号等を示す各種ユーザ識別情報等、後述する画像データを管理するための管理情報も読み込まれる。このような管理情報は、例えば、第１端末装置１１０に備えられたキーボード、マウス、入力ペン、音声入力装置等を備えた入力部を介して入力されてもよいし、ユーザ所有の画像データ１０が記録されているメモリカード等や、ユーザ所有のデジタルカメラ等の機材から、所定規格の入力ポートを介して、第１端末装置１１０に読み込むように構成してもよい。更に、ユーザ所有の携帯電話やモバイルなど、画像データ１０とは直接関係のない機材から、所定規格のポートを介して又は電話により、第１端末装置１１０に読み込むようにしてもよい。これら読み込まれた画像データ１０及び管理情報は、第１端末装置１１０のハードディスク等の記録媒体に保存される（ステップＳ１０３）。【０１０３】
次に、第１処理部１１１によって、画像データ１０中に著作権者に関する世代入りウオータマークが埋め込まれる或いは挿入される（ステップＳ１０４）。即ち、画像データ中にディスプレイ上で画像データに対応する画像を観察する観察者によっては視認困難或いは視認不可能なように、例えば著作権者の氏名、識別番号等の、当該画像データに関連するテキスト情報やデジタル情報など所定種類の情報が、ウオータマークとして埋め込まれる。ここで埋め込まれるウオータマークは、更に「世代入」りであり、画像データ１０が第何世代目のコピーであるかを示す情報を有している。【０１０４】
次に、第１処理部１１１によって、画像データ１０に対してフォーマット処理が施される（ステップＳ１０５）。このフォーマット処理の一環として、画像データを管理するための管理情報５０（図５参照）が、画像データ１０に付加される（ステップＳ１０６）。管理情報５０としては、例えば、(1)ユーザ、画像データが記憶されたメモリカード又は画像データの生成に係るデジタルカメラなどを識別するための、例えばユーザＩＤ（Identification）、氏名、住所、電話番号等を示す各種ユーザ識別情報或いはＩＤ情報、(2)画像データの著作権者を明示する著作権者管理情報、(3)画像データが写真情報或いは静止画情報、音声情報又は動画情報等のうちいずれに関するかを示すデータ種別情報、(4)画像データの預かり日時を示す日時情報、或いは画像データに係る写真を撮影した日時を示す日時情報、(5)画像データの預かり場所、画像データの送付先、プリントアウトされた写真の送付先を明示する場所情報、(6)画像データの内容について、色補正の有無、コントラスト、逆光補正など、後にＤＶＤ等の記録媒体に記録する際に実行されるべき基本処理又は特別処理を示す処理情報、(7)第２端末装置又は管理センターにより途中で、所望により付加される商品音楽や写真などを示すコンテンツ付加指示情報、(8)データ送受信時の暗号化に用いられる個別の暗号化キー、(9)管理センターで管理されるデータパッケージの識別情報或いはＩＤ情報、(10)管理センターへの登録日時を示す日時情報などがある。更に、管理センターからのデータの入出力記録、プリントアウト処理、ディスク作成などについての履歴を示す履歴情報が、管理情報の一部に含まれてもよい。加えて、ＤＶＤ規格等の所定種類の規格に準拠した、ディスクＩＤ情報やＥＤＣ（Error Detection Code）情報の他、セクタ単位で記録されることになるディスク管理情報或いはファイルシステムの少なくとも一部となる情報などが、ここでの管理情報の一部に含まれている。好ましくは、上述したユーザ識別情報、著作権者管理情報等の各種の管理情報は、後にＤＶＤ規格等の所定種類の規格に準拠した記録媒体上にそのままでも（又は若干修正を加えるだけで）適式な管理情報として記録され再生されることが可能なように、ＤＶＤ規格等の所定種類の規格に準拠した管理情報５０として、画像データ１０に対して付加される。【０１０５】
更に、本実施例では特に、管理情報５０として、第２端末装置２１０側に加工処理を指示するための加工指示情報が付加される（ステップＳ１０６）。加工指示情報により指示されるに加工処理としては、スライドショーの場合に音楽を付けるなど画像データ１０に相応しいバックグランドミュージックを付加したり、画像データ１０により示される画像に相応しい背景画像（即ち、バックグランド画像）や表示画像を示す画像データを付加したりなどが含まれる。更に、付加すべき音楽の具体的な識別情報（楽曲名など）や背景画像の識別情報等も加工指示情報として付加される。【０１０６】
次に、画像データ１０に対して復元時に第１エラー訂正を施すための第１エラー訂正符号ＥＣＣ１が、画像データ１０に付加される（ステップＳ１０７）。第１エラー訂正符号ＥＣＣ１は、例えばＤＶＤ規格等の所定種類の規格に準拠しているＥＣＣである。尚、第１エラー訂正符号ＥＣＣ１の付加は、管理情報５０の付加よりも前又は同時に行われてもよい。【０１０７】
次に、このフォーマット処理の中で、画像データ１０に対し、ＤＶＤ規格等に準拠しているインターリーブ処理が行われる（ステップＳ１０８）。【０１０８】
次に、このフォーマット処理の中で、画像データ１０に対し、ＤＶＤ規格等に準拠している暗号化が施される（ステップＳ１０９）。【０１０９】
次に、第１処理部１１１によって、上述の如くフォーマット処理が施された画像データ１０は、固定データ長のデータパッケージ単位へ分割パッケージ化されて、ｎ（但し、ｎは自然数）個のデータパッケージ６０（図５参照）が生成される（ステップＳ１１０）。【０１１０】
次に、第１処理部１１１によって、生成されたｎ個のデータパッケージに対して夫々、データパッケージの復元時に第２エラー訂正を施すための第２エラー訂正符号ＥＣＣ２（図５中、符号９０）が付加される（ステップＳ１１１）。ｎ個のデータパッケージは固定データ長であるので、例えばＥＣＣといった、既存のエラー訂正を可能ならしめるエラー訂正符号の利用が、ここでは可能となる。尚、固定データ長のデータパッケージ単位のサイズとしては、次に説明するインターネット５００等の通信網を介しての送信に適したサイズであれば、特に制約はない。【０１１１】
第１処理部１１１による以上の処理によって、画像データ１０に世代入りウオータマークが埋め込まれ、ＤＶＤフォーマットと同一又は類似のフォーマットで、世代入りウオータマークが埋め込まれた画像データ１０に管理情報及び第１エラー訂正符号ＥＣＣ１が付加され、更にデータパッケージ単位で第２エラー訂正符号ＥＣＣ２が付加されたｎ個のデータパッケージとして、通信用データが生成される。【０１１２】
（１−３）通信用データの構成
次に、図５及び図６を参照して、通信用データの構成について説明する。ここに、図６は、変形例に係る図５と同趣旨の図である。尚、図６において、図５に示した第１実施例に係る構成要素と同様の構成要素に同一の構成要素を付し、それらの説明は適宜省略する。【０１１３】
図５に示すように、通信用データは、管理情報５０、データパッケージ６０、第２エラー訂正符号ＥＣＣ２（図５中、符号９０）から構成される。管理情報５０は、上述したように各種ユーザ識別情報、著作権者管理情報、データ種別情報等が含まれている。データパッケージ６０は、上述の如くフォーマット処理が施された後に分割パッケージ化されて生成されたものであり、ＤＶＤフォーマットと同一又は類似のフォーマットで生成されている。第２エラー訂正符号ＥＣＣ２（図５中、符号９０）は、データパッケージ６０毎に付加されている。【０１１４】
図６に変形例として示すように、データパッケージ６２は、ＪＰＥＧ規格に基づくものであってもよいし或いはＭＰＥＧ規格に基づくものであってもよい。即ち、上述したフォーマット処理（図４中、ステップＳ１０５）において、ＪＰＥＧ規格或いはＭＰＥＧ規格に基づいてフォーマットされてもよい。【０１１５】
（１−４）動作原理（通信用データの送受信）
次に、図４、図５及び図７を参照して、本発明の第１実施例に係る通信用データの送受信の動作原理について説明する。ここに、図７は、第１実施例に係る第２端末装置側の動作原理を示すフローチャートである。【０１１６】
ここでは、通信用データの送受信に係る動作として、第１端末装置１１０で、図４に示したフローチャートの後半部分である、ステップＳ１２０からＳ１３３の処理が行われると共に、第２端末装置１２０で、図７に示したフローチャートのステップＳ２０１からＳ２１３の処理が行われる。【０１１７】
図４に示すように、通信用データの送信時には先ず、インターネット５００に複数収容されている第２端末装置２１０の中から通信用データの送信先が、選択部２１７によって、選択される（ステップＳ１２０）。この際、例えばユーザにより持ち込まれた画像データ１０に対応して生成された通信用データの送信先としての一つが、例えば該ユーザ及び当該店舗に係る地理的条件、為替レート等の経済的条件、第２端末装置２１０が配置されている各国内写真店２００における受注状況（空き状況）や適切な機器を持っているかの各店舗等における設備条件、ユーザの希望や好みに応じて、選択される。ここでの選択は、キーボード、マウス、入力ペン、音声入力装置等を備えた選択部２１７によって、ユーザ又は店員等による操作入力に応じて、行われてもよいし、選択部２１７によって、管理情報５０等に基づいて自動的に行われてもよい。例えば、端末装置１１０は、各国内写真店２００における受注状況を示す受注インディケータ情報であって第２端末装置１２０によってインターネット５００を介して定期的又は不定期に更新されるものを、その内蔵メモリ内に常時保持しており、この格納された最新の受注インディケータ情報に従って、第1処理部１１１が、最も受注量が少ない写真店２００を選択してもよい。或いは、第１端末装置１１０は、通信用データを送信する前に、第２端末装置１２０からリアルタイム的にインターネット５００を介して係る受注インディケータ情報を取得して、これに従って第1処理部１１１が、写真店２００を選択してもよい。更に、第1処理部１１１は、受注量が一定基準より少ない写真店２００を複数選択して、この中から、ユーザが、入力装置を介して一つを選択してもよい。又は、第１装置１１０が備えた表示装置の画面上にリストアップされた複数の写真展２００の中から一つを、ユーザによるマウス操作等によって選択してもよい。従って、複数存在する第２端末装置２１０のうち画像データ１０の所有者であるユーザに適した第２端末装置２１０に、通信用データの送信先を臨機応変に設定できる。【０１１８】
次に、第１通信部１１２及び第２通信部２１２によって第１端末装置１１０及び第２端末装置２１０間における認証が、インターネット５００を介して両端末間で実行される（ステップＳ１２１）。その後、上述の如く生成された通信用データは、インターネット５００を介して第２端末装置２１０へ送信される（ステップＳ１２２）。尚、通信網としては、インターネット５００の代わりに専用回線網を用いてもよい。ここでの認証方式としては、例えばパスワード及び暗号を送受信する、既存の各種認証方式が適用可能である。このため、第１通信部１１２及び第２通信部２１２は、通信用データの送受信の以前に、認証を行うための管理情報５０の少なくとも一部からなる又は他の認証用情報を送受信して先ず認証処理を行い、認証できない場合に、その後の処理を中止する。尚、認証処理は、通信用データの送受信の直後に行ってもよい。【０１１９】
他方、図７に示すように、第２端末装置２１０側では、第２端末装置２１０のフラグレジスタ等の初期化が行われ（ステップＳ２０１）、第１通信部１１２との認証が実行される（ステップＳ２０２）。その後、例えばモデム等を備える第２通信部２１２によって、インターネット５００を介して、第１端末装置１１０から、通信用データが受信される（ステップＳ２０４）。この際、仮に画像データのデータサイズが大きくても、画像データ１０は分割パッケージ化されているので、複数或いは多数のデータパッケージ６０を並列に送受信することで、比較的信頼性の高いデータの送受信を迅速に実行可能となる。【０１２０】
次に、この受信された通信用データに対して、コントローラ、メモリ等を備える第２処理部２１１によって、データパッケージ単位で第２エラー訂正符号ＥＣＣ２に基づいて第２エラー訂正が施され、ｎ個のデータパッケージ６０は復元される（ステップＳ２０５
）。例えば、データパッケージに対して、ＥＣＣによるエラー訂正が施される。ｎ個のデータパッケージは固定データ長であるので、例えばＥＣＣといった比較的簡単で且つ信頼性の高いエラー訂正が、ここでは可能となる。【０１２１】
次に、上述した暗号化処理（ステップＳ１０９）に対応する復号化処理が施される（ステップＳ２０６）。よって、インターネット５００を介して送受信される通信用データについての秘匿性を、暗号化処理によって顕著に高めることができる。ここでの暗号化処理としては、例えば公開鍵及び秘密鍵を用いた等の既存の各種暗号化処理を適用できる。尚、このような暗号化処理は、このような暗号化処理に加えて又は代えて、データパッケージに対して、圧縮処理を施してもよい。【０１２２】
次に、コントローラ、光ピックアップ等を備える記録部２１５によって、復元されたｎ個のデータパッケージ６０が接続される（ステップＳ２０９）。【０１２３】
次に、復元された画像データ１０は、これに付加された管理情報５０に含まれる加工指示情報に従って、第２処理部２１１によって、加工処理される（ステップＳ２１０）。即ち、例えば、バックグランドミュージックを付加したり、バックグランド画像や表示画像を付加したりなどが行われる。このような加工処理が施される際、画像データ１０に対して施された加工処理に応じて管理情報５０は更新されてもよい。【０１２４】
このように、画像データ１０に加工指示情報を含む管理情報５０が付加されているので、加工処理を施すために必要となる、例えば音楽情報などを、画像データ１０と共に送信しないで済む。仮に、係る加工処理のための音楽情報等のコンテンツ情報を画像データと共に伝送するのでは、伝送量が増大して、迅速或いは効率的な伝送は困難である。逆に、第２端末装置２１０側に、加工処理用の膨大なデータを予め集約的に用意しておけば、その後、加工指示情報に従って、係る予め加工処理用に有する膨大なデータを適宜利用することで、加工処理を迅速且つ効率的に行える。【０１２５】
次に、画像データ１０に含まれる世代入りウオータマークは、第２処理部２１１によって、更新される（ステップＳ２１１）。世代入りウオータマークについては、第２端末装置においてデータコピーされる都度に、第０世代→第１世代→第２世代→…のように更新される。この際、画像データ１０に付加された管理情報５０も更新される（ステップＳ２１１）。【０１２６】
次に、記録部２１５によって、接続が完了したデータパッケージ６０を構成する画像データ１０に対して、８−１６変調等の変調処理が施される（ステップＳ２１２）。尚、第１端末措置１１０側で、予め８−１６変調を行ってから送信してもよいが、この場合には、送信すべきデータが２倍程度に膨らむので、第２端末装置２１０で８−１６変調を行う方が有利である。このように変調処理を施しても、第１エラー訂正符号ＥＣＣ１はそのまま有効であり、後に、記録媒体に記録された画像データ１０を復元（言い換えれば、再生）する際に、第１エラー訂正を有効に施すことが可能となる。【０１２７】
次に、このように８ー１６変調等の変調処理が施された画像データ１０は、記録装置２３０によって、例えばＤＶＤ或いは光ディスクなどである記録媒体に記録される（ステップＳ２１３）。この際、第１エラー訂正符号ＥＣＣ１については、記録媒体に記録された画像データが後に復元（言い換えれば、再生）される際に、第１エラー訂正を行うのに用いることが可能なので、そのまま（即ち、画像データとの関係が保持されたままで）、画像データと一緒に記録媒体に、接続されたデータパッケージの一部として記録される。【０１２８】
更に、管理情報５０については、予めＤＶＤ規格等の記録媒体の規格に準拠して画像データ１０に対して付加されているので、そのまま又は若干の修正や追加が施された後に、画像データ１０及び第１エラー訂正符号ＥＣＣ１と一緒に記録媒体に、接続されたデータパッケージの一部として記録される。ウオータマークについても同様に、予めＤＶＤ規格等の記録媒体の規格に準拠して画像データに対して埋め込まれているので、そのまま（即ち、画像データとの関係が保持されたままで）又は若干の修正や追加或いは更新が施された後に、画像データと一緒に記録媒体に記録される。これらにより、記録媒体に記録された画像データが後に復元（言い換えれば、再生）される際に、第１端末装置１１０側で予め付加した管理情報５０及び予め埋め込んだウオータマークを少なくとも部分的に用いることが可能となるので、全体として効率化が図れる。【０１２９】
加えて、画像データ１０には、第２処理部２１１により加工処理（ステップＳ２１０）が施されているので、当初の画像データに対して付加価値が高められたものが、最終的に第２端末装置が配置された店等でＤＶＤ等の形で提供されることになる。【０１３０】
その後、第２端末装置２１０が配置された国内写真店２００にて、このように世代入りウオータマークが埋め込まれた画像データ１０が、第１エラー訂正符号ＥＣＣ１や管理情報５０の一部又は全部と共に記録された記録媒体の保持や配送、これに基づくプリントアウトやその配送等の各種の関連業務が行われる。【０１３１】
このように、予め第１端末装置１１０側で第１エラー訂正符号ＥＣＣ１をＤＶＤフォーマット等の記録媒体のフォーマットの場合と同一のものとして付加しておけば、その後、第２端末装置２１０側で記録媒体に記録する際には、復元されたデータパッケージにおける第１エラー訂正符号ＥＣＣ１に変更を加えることなく、ＤＶＤ等の記録媒体に記録すれば済むので便利である。更に、第１エラー訂正符号ＥＣＣ１以外の、管理情報５０についても、ＤＶＤフォーマット等の記録媒体のフォーマットの場合と同一のものとして付加しておけば、その後、第２端末装置２１０側では、管理情報５０に修正を加えないで済むので、大変便利である。同趣旨より、通常は多項目に渡る管理情報５０の画像データ１０への付加（記録）については、ＤＶＤフォーマット等の記録媒体のフォーマットの場合と完全に同じでなくとも、類似或いは空欄を除き同じフォーマットとしておけば、即ち、ＤＶＤフォーマット等の記録媒体のフォーマットに順ずるテンプレートを使用しておけば、やはりＤＶＤ等の記録媒体に記録する際に、管理情報に修正を殆ど又は余り加えないで済むので、大変便利である。【０１３２】
この場合、第２端末装置２１０側では、管理情報５０を、例えば、予め上記テンプレートとして部分的にフォーマッティングされたフォーマットを有するパーシャルハイブリッドディスクに記録するか、オーサリングしてディスクに記録するとよい。例えば、第２端末装置２１０側で、ハードディスクを用意し、ここにテンプレートとして、予めパーシャルハイブリッド形式のデータを保存しておき、受信した通信用データから復元されたデータパッケージに含まれる画像データ１０を、ここに部分的に挿入してもよい。いずれの場合にも、ＤＶＤフォーマットのＥＣＣデータについては、第１端末装置１１０側で送信前に付加されているものを、そのまま記録媒体への記録に利用できるので、効率的に記録処理を行える。【０１３３】
更に、上述したように、画像データ１０中に世代入りウオータマークが存在するので、インターネット５００を介して、個人のプライバシーに係る或いは財産的価値の高い著作権が付随した電子写真データなどの画像データ１０が、その伝送や保管の過程で盗難や遺失に遭遇しても、適切な保護が可能となる。例えば、盗難や遺失されても、画像データ１０には所定箇所に世代入りウオータマークが存在するので、それが何度データコピーされた時点のものであるかを含めて、適法なものであるか不適法なものであるかが、正規の著作権者により判明可能にできる。その際の、画像データ１０に係る著作権が誰に帰属するか等の正規の権利関係或いは法律関係については、画像データ１０に埋め込まれた世代入りウオータマークと、管理情報５０との関係付けから明らかにされる。【０１３４】
以上の結果、インターネット５００を介しての電子写真データ等の画像データ１０の伝送を、比較的高い信頼性で且つ比較的効率良く行うことが可能となる。このため、ユーザにより画像データが持ち込まれた海外の旅行先等の店舗では、預かった電子写真データ等の画像データを、ユーザの国内における他の店舗へ送り届けるサービスを実現できる。更に、係る他の店舗による最終的にユーザの自宅までＤＶＤやプリントを届けるサービスを実現できる。【０１３５】
図７に示すように、本実施例では特に、通信用データが受信される第２端末装置２１０側では、判定部２１３によって、第２エラー訂正（ステップＳ２０５）によりｎ個のデータパッケージを正しく復元できたか否かが判定される（ステップＳ２０７）。そして、判定部２１３によって、第２エラー訂正（ステップＳ２０５）により正しく復元できたと判定された場合（ステップＳ２０７：Ｙｅｓ）に、第１エラー訂正は施されない。即ち、第１エラー訂正を行わなくてもデータパッケージ６０から画像データ１０が復元できるので、第１エラー訂正を闇雲に行う無駄を回避する。他方で、判定部２１３によって、第２エラー訂正（ステップＳ２０５）により正しく復元できないと判定された場合（ステップＳ２０７：Ｎｏ）には、選択的エラー訂正部２１４によって、ｎ個のデータパッケージ６０が接続される（ステップＳ２２１）。続いて、受信された通信用データに対して、第２エラー訂正に加えて第１エラー訂正が施される（ステップＳ２２２）。従って、第２エラー訂正では、訂正しきれない程度に伝送エラー等によるエラー頻度が高い場合でも、各データパッケージ内に付加された第１エラー訂正符号ＥＣＣ１によって、エラー訂正を実行し得る可能性が顕著に高められる。そして第１エラー訂正によってエラー訂正が実行され（ステップＳ２２２）、データパッケージが正しく復元されれば（ステップＳ２２３：Ｙｅｓ）、通常通りに記録部２１５による記録媒体への記録が行われる。尚、第２エラー訂正のみならず、第１エラー訂正によってもエラー訂正が不可能な場合（ステップＳ２２３：Ｎｏ）には、記録部２１５による記録は一旦中止して、再送処理や、別途エラーメッセージを外部出力するなどの特殊処理を行う（ステップＳ２３１）。【０１３６】
更に、上述したようにデータパッケージを正しく復元できたか否かが判定された（ステップＳ２０７、ステップＳ２２３）後には、判定部２１３により正しく復元できたと判定されたか否かを示す状態情報が、状態情報生成部２１６により生成され、第２通信部２１２により送信される（ステップＳ２０８、ステップＳ２２４及びステップＳ２３１）。他方、図４に示すように、通信用データを既に送信した第１端末装置１１０側では、第１通信部１１２によって、状態情報が受信される（ステップＳ１２３）。ここで、判定部２１３により正しく復元できたと判定されたか否かを示す状態情報は、少なくとも正しく復元できたと判定されないｍ個のデータパッケージについて生成され、状態情報生成部２１６により生成され、第２通信部２１２により送信される（ステップＳ２３１）。他方、図４に示すように、通信用データを既に送信した第１端末装置１１０側では、第１通信部１１２によって状態情報が受信されると（ステップＳ１２３）、この内容に従って正しく復元できたと判定されていないｍ個のデータパッケージについては、第１通信部１１２によって再送信される（ステップＳ１４１）。即ち、状態情報の内容に従って正しく復元できたと判定されている（ｎ−ｍ）個のデータパッケージについては、第１通信部１１２によって再送信されることはない。従って、上述の如く再送信の際にｎ個のデータパッケージを全て再送信する態様の場合と比べて、送受信に係るデータ量を低減でき、効率的なデータ伝送が可能となる。【０１３７】
次に、受信された状態情報の内容に従って正しく復元できたと判定されている場合（ステップＳ１２４：Ｙｅｓ）には、第１処理部１１１によって、既に送信された通信用データに対応する画像データ１０の削除が行われる（ステップＳ１２５）。即ち、第１端末装置１１０側の任意の記録媒体或いは記憶媒体に存在する、この画像データ１０を削除する。尚、ユーザが持ち込んだメモリカード等の記録媒体上のオリジナルの画像データ１０を削除してもよい。【０１３８】
逆に、受信された状態情報の内容に従って正しく復元できたと判定されていない場合（ステップＳ１２４：Ｎｏ）には、第１処理部１１１によって、既に送信された通信用データに対応する画像データ１０の削除が行われることはない。この場合には、後述する再送処理（ステップＳ１３１）や、別途エラーメッセージを外部出力する（ステップ１２３）などの特殊処理が行われる。いずれの場合にも、ユーザは、比較的安心して、海外の旅行先等で店舗に持ち込んだ画像データ１０の消去を行うことが可能となる。【０１３９】
他方、図４に示すように、通信用データを既に送信（ステップＳ１２２）した第１端末装置１１０側では、第１通信部１１２によって状態情報が受信される（ステップＳ１２３）。そして、この内容に従って正しく復元できたと判定されていない場合（ステップＳ１１４：Ｎｏ）には、ｎ個のデータパッケージに対応する通信用データが、第１通信部１１２によって再送信される（ステップＳ１４１）。この際、再送信の回数を記録しておくための再送カウントに１回分のカウントが追加される即ち、カウントアップされる（ステップＳ１３１）。ここでの再送信は、１回のみ行われてもよいし、所定の複数回数のみ行われてもよく、再送信を行うタイミングについても、即座でもよいし、所定期間の経過後（例えば、１分後、１時間後、１日後など）でもよい。再送信の回数が、所定の回数を超えた場合（ステップＳ１３２：Ｙｅｓ）には、第１端末装置１１０側に後日送信する旨を連絡するための電子メールを送信し、後日再送信すべきリストに追加する（ステップＳ１３３）。【０１４０】
尚、このように、第２端末装置２１０側からの状態情報を送信することなく、第１端末装置１１０側から、単純に同一の通信用データを２回又はそれ以上送信するように構成してもよい。このように構成すれば、通信用データが伝送エラー等により正確に送受信されない可能性を飛躍的に低減できる。【０１４１】
以上の結果、第１実施例によれば、インターネット５００等の通信網を介しての電子写真データの伝送を、高い信頼性で且つ効率良く行うことが可能となる。しかも、ユーザにとって重要なオリジナルの画像データを誤って消去してしまう事態を回避できる。【０１４２】
（第２実施例）
次に、図８から図１０に加えて前述した図２及び図３を適宜参照して、第２実施例に係る画像データ伝送システムについて説明する。【０１４３】
（２−１）基本構成
図８及び図９を参照して、本発明の第２実施例に係る画像データ伝送システムの基本構成について説明する。ここに、図８は、第２実施例に係る画像データ伝送システムの基本構成を示す概念図である。図９は、第２実施例に係る管理センターの基本構成を示すブロック図である。尚、図８において、図１に示した第１実施例に係る構成要素と同様の構成要素に同一の参照符合を付し、それらの説明は適宜省略する。【０１４４】
図８に示すように、第２実施例に係る画像伝送システムでは特に、管理センター３００がインターネット５００に収容されている。その他の構成は、第１実施例と同様である。【０１４５】
図９に示すように、管理センター３００は、第３通信部３１２、選択部３１７、送信先情報生成部３１８及び格納部３１９を備えて構成されている。選択部３１７及び送信先情報生成部３１８は夫々、コントローラ、メモリ等を備えている。第３通信部３１２は、モデム等を備えている。第１端末装置１１０及び第２端末装置２１０の夫々の構成は、第１実施例と同様である。【０１４６】
（２−２）動作原理
次に、図１０を参照して、本発明の第２実施例に係る第１端末装置及び管理センターにおける動作原理について説明する。ここに、図１０は、第２実施例に係る第１端末装置及び管理センターにおける動作原理を示すフローチャートである。尚、図１０において、図４に示した第1実施例に係る構成要素と同様の構成要素に同一の構成要素を付し、それらの説明は適宜省略する。【０１４７】
図１０に示すように、通信用データの送受信時には先ず、この送受信（ステップＳ３０４）に先立って、第１端末装置１１０側では、管理センター３００に対し通信用データの送信先の問合せが行われる（ステップＳ３１１）。すると、管理センター３００側では、インターネット５００に複数収容されている第２端末装置２１０の中から、ユーザにより持ち込まれた画像データに対応して生成された通信用データの送信先としての一つが、上述した如き地理的条件、経済的条件、受注状況、ユーザの希望等に応じて選択される（ステップＳ４０１）。ここでの選択は、選択部３１７によって、管理情報５０等に基づいて自動的に行われる。例えば、管理センター３００は、各国内写真店２００における受注状況を示す受注インディケータ情報であって第２端末装置１２０によってインターネット５００を介して定期的又は不定期に更新されるものを、その格納部３１９の一部内に常時保持しており、この格納された最新の受注インディケータ情報に従って、第３処理部３１１が、最も受注量が少ない写真店２００を選択してもよい。或いは、管理センター３００は、通信用データを送信する前に、第２端末装置１２０からリアルタイム的にインターネット５００を介して係る受注インディケータ情報を取得して、これに従って第３処理部３１１が、写真店２００を選択してもよい。更に、管理センター３００は、各国内写真店２００における為替レートを加味した上で料金を示す料金情報であって第２端末装置１２０によってインターネット５００を介して定期的又は不定期に更新されるものを、その格納部３１９の一部内に常時保持しており、この格納された最新の料金情報に従って、第３処理部３１１が、最も安価となる写真店２００を選択してもよい。或いは、管理センター３００は、通信用データを送信する前に、第２端末装置１２０からリアルタイム的にインターネット５００を介して係る料金情報を取得して、これに従って第３処理部３１１が、写真店２００を選択してもよい。【０１４８】
このように一つの第２端末装置２１０が送信先として選択されると、送信先情報生成部３１８によって、選択された一つを示す送信先情報が生成される（ステップＳ４０２）。更に、第３通信部３１２によって、送信先情報が送信される（ステップＳ４０３）。すると、第１端末装置１１０側では、第１通信部１１２によって、送信先情報が受信される（ステップＳ３０３）。この受信された送信先情報に従って、管理センター３００を中継することなく、選択された一つの第２端末装置２１０に対して通信用データが送信される（ステップＳ３０４）。従って、複数存在する第２端末装置２１０のうち画像データ１０の所有者であるユーザに適した第２端末装置２１０に、通信用データの送信先を臨機応変に設定できる。【０１４９】
尚、管理センター３００の送付時に好ましくは、例えば、ユーザの携帯電話に対してタグ（ＴＡＧ：電子札）を送信するなど、ユーザに対してタグを配布する。すると、その後における第２端末装置２１０が配置された国内写真店２００で、交換による本人確認に従って、店頭取引が可能となる。この店頭取引における本人確認時には、管理センター３００に、タグの配信を求めるように構成してもよい。加えて、管理センターでは、記録媒体への記録業務についての進捗状況を、管理対象であるユーザに対して、閲覧等の形式で、提供してもよい。【０１５０】
次に、第１端末装置１１０側では、ユーザが管理センター３００への管理情報５０の送信を希望すれば（ステップＳ３０５：Ｙｅｓ）、管理センター３００に対して管理情報５０が送信される（ステップＳ３０６）。【０１５１】
次に、管理センター３００は、管理情報５０を受信し（ステップＳ４１１）、格納部３１９に格納する（ステップＳ４１２）。このため、管理センター３００は、格納部３１９に格納された管理情報５０を参照しつつ、管理情報５０以外の画像データ等の送受信を行うこと無く、選択部３１７による選択作業（ステップＳ４０１）を行えばよい、即ち言わば交通整理のみを行えばよい。他方で、通信用データの送受信は、第１端末装置１１０及び第２端末装置２１０間で、上述したようにインターネット５００を介して直接行われる（ステップＳ３０４）。即ち、管理センター３００を中継する必要はない。よって、管理センター３００における処理負担を軽減できると共に、全体として効率的なデータ伝送が可能となる。【０１５２】
（第３実施例）
次に、図１１から図１５に加えて前述した図２、図３及び図８を参照して、第３実施例に係る画像データ伝送システムについて、説明する。【０１５３】
（３−１）基本構成
図２、図３、図８及び図１１を参照して、本発明の第３実施例に係る画像データ伝送システムの基本構成について説明する。【０１５４】
図８に示すように、第３実施例に係る画像伝送システムの基本構成は、第２実施例と同様であり、管理センター３００がインターネット５００に収容されている。【０１５５】
図２及び図３に夫々示すように、第１端末装置１１０及び第２端末装置２１０の構成は、第２実施例と同様である。【０１５６】
図１１に示すように、管理センター３００は、第３通信部３１２及び格納部３１９に加え、第３処理部３１１を備えている。第３通信部３１２及び格納部３１９の夫々の構成は第２実施例と同様である。第３処理部３１１は、コントローラ、メモリ等を備えている。【０１５７】
（３−２）動作原理（通信用データの生成）
次に、図１２を参照して、本発明の第３実施例に係る通信用データの生成の動作原理について説明する。ここに、図１２は、第３実施例に係る第１端末装置の動作原理を示すフローチャートである。尚、図１２において、図４に示した第1実施例に係る構成要素と同様の構成要素に同一の構成要素を付し、それらの説明は適宜省略する。【０１５８】
図１２に示すように、第１端末装置１１０側で、第１処理部１１１によって、画像データ１０中に著作権者に関する世代入りウオータマークが埋め込まれる（ステップＳ１０４）。次に、画像データに対して、フォーマット処理（ステップＳ１０５）が施される。その際、画像データを管理するための管理情報が、画像データに付加される（ステップＳ１０６）。この管理情報には、第１実施例と同様に、加工指示情報が含まれている。【０１５９】
次に、第１端末装置１１０と管理センター３００との間で認証処理が行われた後（ステップＳ１２１）、管理センター３００へ管理情報（加工指示情報を含む）のみならず画像データを含む通信用データが送信される（ステップＳ５０１）。【０１６０】
（３−３）通信用データの構成
次に、図１３及び図１４を参照して、通信用データの構成について説明する。ここに、図１３は、第３実施例に係る図５と同趣旨の図である。図１４は、第３実施例の変形例に係る図６と同趣旨の図である。尚、図１３及び図１４において、図５及び図６に示した第１実施例に係る構成要素と同様の構成要素に同一の構成要素を付し、それらの説明は適宜省略する。【０１６１】
図１３に示すように、通信用データは、管理センター情報８０を含んで構成されている。その他は、第１実施例に係る通信用データと同様の構成である。【０１６２】
管理センター情報８０は、管理情報の一種であり、管理センター情報ID、データ入出力記録、プリントアウト処理データ、ディスク作成処理データ等の管理センターで処理された履歴が記録された情報である。【０１６３】
図１４に変形例として示すように、通信用データは、管理センター情報８０を含んで構成されており、第１実施例の変形例に係る通信用データと同様にデータパッケージ６２は、ＪＰＥＧ規格に基づくものであってもよいし或いはＭＰＥＧ規格に基づくものであってもよい。【０１６４】
（３−４）動作原理（通信用データの送受信及びその後の処理）
次に、図１５を参照して、本発明の第３実施例に係る通信用データの送受信及びその後の処理の動作原理について説明する。ここに、図１５は、第３実施例に係る管理センターの動作原理を示すフローチャートである。尚、図１５において、図１０に示した第２実施例に係る構成要素と同様の構成要素に同一の構成要素を付し、それらの説明は適宜省略する。【０１６５】
次に、図１５に示すように、管理センター３００は、第１端末装置１１０との間で認証処理を行った後（ステップＳ６０１）、通信用データを受信する（ステップＳ６０２）。【０１６６】
次に、受信された通信用データに含まれる画像データは、これに付加された管理情報に含まれる加工指示情報に従って、第３処理部３１１によって、加工処理される（ステップＳ６０３）。即ち、例えばバックグランドミュージックを付加したり、バックグランド画像や表示画像を付加したりなどが行われる。このような加工処理が施される際、画像データに対して施された加工処理に応じて管理情報は更新されてもよい。このように、画像データに加工指示情報を含む管理情報が付加されているので、加工処理を施すために必要となる、例えば音楽情報などを、画像データと共に送信しないで済む。仮に、係る加工処理のための音楽情報等のコンテンツ情報を画像データと共に伝送するのでは、伝送量が増大して、迅速或いは効率的な伝送は困難である。逆に、管理センター３００側に、加工処理用の膨大なデータを予め集約的に用意しておけば、その後、加工指示情報に従って、係る予め加工処理用に有する膨大なデータを適宜利用することで、加工処理を迅速且つ効率的に行える。【０１６７】
次に、第３処理部３１１によって、受信された通信用データに含まれる世代入りウオータマークが更新される（ステップＳ６０３）。即ち、例えば、世代入りウオータマークについては、管理センター３００においてデータコピーされると、第０世代→第１世代を示すように更新される。【０１６８】
次に、インターネット５００に複数収容されている第２端末装置２１０の中から一つが送信先として選択され（ステップＳ４０２）、第３処理部３１１により更新された世代入りウオータマークが埋め込まれ、且つ更新された又はされない管理情報が付加された画像データ、即ち通信用データは、第３通信部を介して選択された送信先の第２端末装置２１０へと送信される（ステップＳ６０４）。即ち、通信用データは、第１端末装置１１０から、管理センター３００を中継して、選択された一つの第２端末装置２１０に対して通信用データが送信される。【０１６９】
他方、第２端末装置２１０側では、世代入りウオータマークについては、第２端末装置においてデータコピーされると、今度は、第１世代→第２世代を示すように更新される。このように、画像データ中に、中継局としての機能を有する管理センター３００で更新される世代入りウオータマークが存在するので、インターネット５００を介して、個人のプライバシーに係る或いは財産的価値の高い著作権が付随した電子写真データなどの画像データの適切な保護が可能となる。尚、世代を示す情報の更新の態様は、書き換えを行ってもよいし、書き足しを行ってもよい。【０１７０】
加えて、第２端末装置２１０側では、受信された通信用データに含まれる加工処理が施された画像データは、第１実施例と同様に、記録部２１５によって、例えばＤＶＤ或いは光ディスクなどである記録媒体に記録される。よって、当初の画像データに対して付加価値が高められたものが、最終的に第２端末装置が配置された店等でＤＶＤ等の形で提供されることになる。【０１７１】
次に、図１５に示すように、管理センター３００は、ユーザが希望する場合（ステップＳ６０５）には、管理情報のみならず画像データを含む通信用データ又は、加工処理が施された或いは施されていない画像データを、格納部３２９に格納する（ステップＳ６０６）。尚、格納される管理情報は、通信用データとは別途受信したものでもよいし、受信された通信用データから復元されるものでもよい。このように、通信用データの送受信の際、高機能のコンピュータ等を備えた管理センター３００を中継することで、第１端末装置１１０から第２端末装置２１０へと極めて安全で且つ高信頼性でデータ伝送を行うことが可能となる。また、データ伝送後における画像データや管理情報の管理についても、管理センターにおいて、一元管理が可能となる。ここで特に、加工処理が施された画像データを格納することができるので、バックグランドミュージックが付加された画像データなどについても、管理センターによる一元管理が可能となる。【０１７２】
尚、第３実施例に係る画像データ伝送システムでは、第１処理部１１１は、第１実施例と同様に、画像データ又は通信用データに対して暗号化処理を施し（ステップＳ１０９）、第２処理部２１１及び管理センター３００は、受信された通信用データに対して、暗号化処理に対応する復号化処理を施している。このため、インターネット５００を介して送受信される通信用データについての秘匿性を、暗号化処理によって顕著に高めることができる。【０１７３】
本発明は、上述した実施例に限られるものではなく、請求の範囲及び明細書全体から読
み取れる発明の要旨或いは思想に反しない範囲で適宜変更可能であり、そのような変更を
伴う画像データ伝送システム及び方法、並びに該システムの送信側及び受信側を夫々構成する端末装置及び管理センターもまた本発明の技術的範囲に含まれるものである。
【産業上の利用可能性】
【０１７４】
本発明に係る画像データ伝送システム及び方法、並びに該システムの送信側及び受信側を夫々構成する端末装置及び管理センターは、例えば海外の旅行先などで電子写真データが店頭に持ち込まれる海外写真店に配置されるパソコン等の第１端末装置と、国内などで該第１端末装置と同じインターネット等の通信網に収容されており国内写真店に配置されるパソコン等の第２端末装置とを備えてなる、画像データ伝送システム及び方法に利用可能であり、そのような第１端末装置、第２端末装置及び管理センターに利用可能である。
【図１】
2006126580.tif 000002
【図２】
2006126580.tif 000003
【図３】
2006126580.tif 000004
【図４】
2006126580.tif 000005
【図５】
2006126580.tif 000006
【図６】
2006126580.tif 000007
【図７】
2006126580.tif 000008
【図８】
2006126580.tif 000009
【図９】
2006126580.tif 000010
【図１０】
2006126580.tif 000011
【図１１】
2006126580.tif 000012
【図１２】
2006126580.tif 000013
【図１３】
2006126580.tif 000014
【図１４】
2006126580.tif 000015
【図１５】
2006126580.tif 000016
【手続補正書】
【提出日】平成19年3月26日(2007.3.26)
【手続補正１】
【補正対象書類名】特許請求の範囲
【補正対象項目名】全文
【補正方法】変更
【補正の内容】
【特許請求の範囲】
【請求項１】
通信網に収容される第１端末装置及び第２端末装置を含む画像データ伝送システムであって、
（Ｉ）  前記第１端末装置は、
送信すべき画像データに対して、該画像データを管理するための該画像データの著作者に関する著作権者情報を含む管理情報を付加する付加処理と該画像データに対応する複数の画像の各々に対して前記管理情報と相互に対応可能なウオータマークを埋め込む埋込処理とを含む第１処理を施すことで、通信用データを生成する第１処理手段と、
該生成された通信用データを、前記通信網を介して送信する第１通信手段と
を備え、
（ＩＩ）  前記第２端末装置は、
前記通信網を介して前記送信された通信用データを受信する第２通信手段と、
該受信された通信用データ又は該受信された通信用データに含まれる前記管理情報が付加され且つ前記ウオータマークが埋め込まれた画像データを、記録媒体に記録する記録手段と
を備える
ことを特徴とする画像データ伝送システム。
【請求項２】
前記埋込処理は、前記ウオータマークとして、前記画像データが第何世代目のコピーであるかを示す情報を有する世代入りウオータマークを埋め込み、
前記第２端末装置は、前記受信された通信用データに含まれる前記世代入りウオータマークを更新する第２処理手段を更に備え、
前記記録手段は、前記受信された通信用データに含まれる前記管理情報が付加され且つ前記第２処理手段により更新されたウオータマークが埋め込まれた画像データを前記記録媒体に記録する
ことを特徴とする請求の範囲第１項に記載の画像データ伝送システム。
【請求項３】
前記通信網に、管理センターが更に収容されており、
前記管理センターは、（ａ）前記第１通信手段から送信された通信用データを、前記通信網を介して受信する第３通信手段と、（ｂ）該受信された通信用データに含まれる前記世代入りウオータマークを更新する第３処理手段とを備え、
前記第３通信手段は、前記第３処理手段により更新された世代入りウオータマークが埋め込まれ且つ前記管理情報が付加された画像データを、新たに前記通信用データとして送信し、
前記第２通信手段は、前記通信網を介して前記管理センターを中継する形式で、前記第３通信手段から送信された前記通信用データを受信することを特徴とする請求の範囲第２項に記載の画像データ伝送システム。
【請求項４】
前記管理情報は、前記画像データを管理するための該画像データに対して施すべき加工処理を指示する加工指示情報を含み、
前記第２端末装置は、
前記受信された通信用データ中の前記画像データに対して、前記加工指示情報により示される加工処理を施す第４処理手段を更に備え、
前記記録手段は、前記加工処理が施された画像データを、前記管理情報が付加された形で、前記記録媒体に記録する
ことを特徴とする請求の範囲第１項から第３項のいずれか一項に記載の画像データ伝送システム。
【請求項５】
前記通信網に、管理センターが更に収容されており、
前記管理情報は、前記画像データを管理するための該画像データに対して施すべき加工処理を指示する加工指示情報を含み、
前記管理センターは、（ａ）前記第１通信手段から送信された通信用データを、前記通信網を介して受信する第３通信手段と、（ｂ）該受信された通信用データ中の前記画像データに対して、前記加工指示情報により示される加工処理を施す第４処理手段とを備え、
前記第３通信手段は、前記加工処理が施され且つ前記管理情報が付加された画像データを、新たに前記通信用データとして送信し、
前記第２通信手段は、前記通信網を介して前記管理センターを中継する形式で、前記第３通信手段から送信された前記通信用データを受信することを特徴とする請求の範囲第１項又は第２項に記載の画像データ伝送システム。
【請求項６】
通信網に第２端末装置と共に収容された第１端末装置であって、
送信すべき画像データに対して、該画像データを管理するための該画像データの著作者に関する著作権者情報を含む管理情報を付加する付加処理と、該画像データに対応する複数の画像の各々に対して前記管理情報と相互に対応可能なウオータマークを埋め込む埋込処理とを含む第１処理を施すことで、通信用データを生成する第１処理手段と、
該生成された通信用データを、前記通信網を介して前記第２端末装置に対して送信する第１通信手段と
を備えることを特徴とする第１端末装置。
【請求項７】
前記埋込処理は、前記ウオータマークとして、前記画像データが第何世代目のコピーであるかを示す情報を有する世代入りウオータマークを埋め込むことを特徴とする請求の範囲第６項に記載の第１端末装置。
【請求項８】
前記管理情報は、前記画像データを管理するための該画像データに対して施すべき加工処理を指示する加工指示情報を含むことを特徴とする請求の範囲第６項又は第７項に記載の第１端末装置。
【請求項９】
通信網に、送信すべき画像データに対して、該画像データを管理するための管理情報を付加する付加処理と、前記画像データに対応する複数の画像の各々に対して前記管理情報と相互に対応可能であると共に該画像データが第何世代目のコピーであるかを示す情報を有する世代入りウオータマークを該画像データ中に埋め込む埋込処理とを含む第１処理を施すことで、通信用データを生成して送信する第１端末装置と共に収容された第２端末装置であって、
前記通信網を介して前記送信された通信用データを受信する第２通信手段と、
該受信された通信用データに含まれる前記世代入りウオータマークを更新する第２処理手段と、
該第２処理手段により更新された世代入りウオータマークが埋め込まれ且つ前記管理情報が付加された画像データを記録媒体に記録する記録手段とを備えることを特徴とする第２端末装置。
【請求項１０】
前記管理情報は、前記画像データを管理するための該画像データに対して施すべき加工処理を指示する加工指示情報を含み、
前記第２端末装置は、前記受信された通信用データ中の前記画像データに対して、前記加工指示情報により示される加工処理を施す第４処理手段を更に備え、
前記記録手段は、前記加工処理が施された画像データを、前記管理情報が付加された形で、前記記録媒体に記録する
ことを特徴とする請求の範囲第９項に記載の第２端末装置。
【請求項１１】
（削除）
【請求項１２】
通信網に収容される第１端末装置及び第２端末装置を含む画像データ伝送システムにおいて実行される画像データ伝送方法であって、
（Ｉ）  前記第１端末装置では、
送信すべき画像データに対して、該画像データを管理するための該画像データの著作者に関する著作権者情報を含む管理情報を付加する付加処理と該画像データに対応する複数の画像の各々に対して前記管理情報と相互に対応可能なウオータマークを埋め込む埋込処理とを含む第１処理を施すことで、通信用データを生成する第１処理工程と、
該生成された通信用データを、前記通信網を介して送信する第１通信工程と
が実行され、
（ＩＩ）  前記第２端末装置では、
前記通信網を介して前記送信された通信用データを受信する第２通信工程と、
該受信された通信用データ又は該受信された通信用データに含まれる前記管理情報が付加され且つ前記ウオータマークが埋め込まれた画像データを、記録媒体に記録する記録工程と
が実行される
ことを特徴とする画像データ伝送方法。
【請求項１３】
前記埋込処理は、前記ウオータマークとして、前記画像データが第何世代目のコピーであるかを示す情報を有する世代入りウオータマークを埋め込み、
前記第２端末装置では、
前記受信された通信用データに含まれる前記世代入りウオータマークを更新する第２処理工程が更に実行され、
前記記録工程は、該第２処理工程により更新された世代入りウオータマークが埋め込まれ且つ前記受信された通信用データに含まれる前記管理情報が付加された画像データを前記記録媒体に記録する
ことを特徴とする請求の範囲第１２項に記載の画像データ伝送方法。
【請求項１４】
前記管理情報は、前記画像データを管理するための該画像データに対して施すべき加工処理を指示する加工指示情報を含み、
前記第２端末装置では、
前記受信された通信用データ中の前記画像データに対して、前記加工指示情報により示される加工処理を施す第４処理工程
が更に実行され、前記記録工程は、前記加工処理が施された画像データを、前記管理情報が付加された形で、前記記録媒体に記録する
ことを特徴とする請求の範囲第１２項又は第１３項に記載の画像データ伝送方法。
【請求項１５】
前記通信網に、管理センターが更に収容されており、
前記管理情報は、前記画像データを管理するための該画像データに対して施すべき加工処理を指示する加工指示情報を含み、
前記管理センターでは、
前記第１通信工程によって送信された通信用データを、前記通信網を介して受信する第３通信工程と、
該受信された通信用データ中の前記画像データに対して、前記加工指示情報により示される加工処理を施す第４処理工程と
が実行され、
前記第３通信工程は、前記加工処理が施され且つ前記管理情報が付加された画像データを、新たに前記通信用データとして送信し、
前記第２通信工程は、前記通信網を介して前記管理センターを中継する形式で、前記第３通信手段から送信された前記通信用データを受信する
ことを特徴とする請求の範囲第１２項に記載の画像データ伝送方法。
【請求項１６】
前記通信網に、管理センターが更に収容されており、
前記第１通信手段は、前記管理情報を、前記通信網を介して送信し、
前記管理センターは、前記第１通信手段から送信された管理情報を、前記通信網を介して受信する第３通信手段を備える
ことを特徴とする請求の範囲第１項に記載の画像データ伝送システム。
【手続補正書】
【提出日】平成19年10月17日(2007.10.17)
【手続補正１】
【補正対象書類名】特許請求の範囲
【補正対象項目名】全文
【補正方法】変更
【補正の内容】
【特許請求の範囲】
【請求項１】
通信網に収容される第１端末装置及び第２端末装置を含む画像データ伝送システムであって、
（I）  前記第１端末装置は、
送信すべき画像データに対して、該画像データを管理するための該画像データの著作者に関する著作権者情報を含む管理情報を付加する付加処理と、前記画像データに対応する複数の画像の各々に対して前記管理情報と相互に関係付けてウオータマークを埋め込む埋込処理とを含む第１処理を施すことで、通信用データを生成する第１処理手段と、
該生成された通信用データを、前記通信網を介して送信する第１通信手段と
を備え、
（II）  前記第２端末装置は、
前記通信網を介して前記送信された通信用データを受信する第２通信手段と、
該受信された通信用データ又は該受信された通信用データに含まれる前記管理情報が付加され且つ前記ウオータマークが埋め込まれた画像データを、記録媒体に記録する記録手段と
を備える
ことを特徴とする画像データ伝送システム。
【請求項２】
前記埋込処理は、前記ウオータマークとして、前記画像データが第何世代目のコピーであるかを示す情報を有する世代入りウオータマークを埋め込み、
前記第２端末装置は、前記受信された通信用データに含まれる前記世代入りウオータマークを更新する第２処理手段を更に備え、
前記記録手段は、前記受信された通信用データに含まれる前記管理情報が付加され且つ前記第２処理手段により更新されたウオータマークが埋め込まれた画像データを前記記録媒体に記録する
ことを特徴とする請求項１に記載の画像データ伝送システム。
【請求項３】
前記通信網に、管理センターが更に収容されており、
前記管理センターは、(a)前記第１通信手段から送信された通信用データを、前記通信網を介して受信する第３通信手段と、(b)該受信された通信用データに含まれる前記世代入りウオータマークを更新する第３処理手段とを備え、
前記第３通信手段は、前記第３処理手段により更新された世代入りウオータマークが埋め込まれ且つ前記管理情報が付加された画像データを、新たに前記通信用データとして送信し、
前記第２通信手段は、前記通信網を介して前記管理センターを中継する形式で、前記第３通信手段から送信された前記通信用データを受信することを特徴とする請求の範囲第２項に記載の画像データ伝送システム。
【請求項４】
前記管理情報は、前記画像データを管理するための該画像データに対して施すべき加工処理を指示する加工指示情報を含み、
前記第２端末装置は、
前記受信された通信用データ中の前記画像データに対して、前記加工指示情報により示される加工処理を施す第４処理手段を更に備え、
前記記録手段は、前記加工処理が施された画像データを、前記管理情報が付加された形で、前記記録媒体に記録する
ことを特徴とする請求項１から３のいずれか一項に記載の画像データ伝送システム。
【請求項５】
前記通信網に、管理センターが更に収容されており、
前記管理情報は、前記画像データを管理するための該画像データに対して施すべき加工処理を指示する加工指示情報を含み、
前記管理センターは、(a)前記第１通信手段から送信された通信用データを、前記通信網を介して受信する第３通信手段と、(b)該受信された通信用データ中の前記画像データに対して、前記加工指示情報により示される加工処理を施す第４処理手段とを備え、
前記第３通信手段は、前記加工処理が施され且つ前記管理情報が付加された画像データを、新たに前記通信用データとして送信し、
前記第２通信手段は、前記通信網を介して前記管理センターを中継する形式で、前記第３通信手段から送信された前記通信用データを受信することを特徴とする請求項１又は２に記載の画像データ伝送システム。
【請求項６】
前記第１端末装置は、前記通信用データを送信する以前に、前記管理情報の一部からなる認証用情報を送信して認証処理を行い、認証ができない場合には前記通信用データの送信を中止することを特徴とする請求項１に記載の画像データ伝送システム。
【請求項７】
通信網に第２端末装置と共に収容された第１端末装置であって、
送信すべき画像データに対して、該画像データを管理するための該画像データの著作者に関する著作権者情報を含む管理情報を付加する付加処理と、前記画像データに対応する複数の画像の各々に対して前記管理情報と相互に関係付けてウオータマークを埋め込む埋込処理とを含む第１処理を施すことで、通信用データを生成する第１処理手段と、
該生成された通信用データを、前記通信網を介して前記第２端末装置に対して送信する第１通信手段と
を備えることを特徴とする第１端末装置。
【請求項８】
通信網に、送信すべき画像データに対して、該画像データを管理するための管理情報を付加する付加処理と、前記画像データに対応する複数の画像の各々に対して前記管理情報と相互に関係付けられると共に該画像データが第何世代目のコピーであるかを示す情報を有する世代入りウオータマークを該画像データ中に埋め込む埋込処理とを含む第１処理を施すことで、通信用データを生成して送信する第１端末装置と共に収容された第２端末装置であって、
前記通信網を介して前記送信された通信用データを受信する第２通信手段と、
該受信された通信用データに含まれる前記世代入りウオータマークを更新する第２処理手段と、
該第２処理手段により更新された世代入りウオータマークが埋め込まれ且つ前記管理情報が付加された画像データを記録媒体に記録する記録手段とを備えることを特徴とする第２端末装置。
【国際調査報告】
2006126580.tif 000017
2006126580.tif 000018
2006126580.tif 000019
2006126580.tif 000020